(57)【要約】車両用の登録ラベルを提供する方法。本方法には、車両の素性を少なくとも部分的に示す登録情報を決定することと、次に、情報を用いてラベルを生成することを、プリントされた情報をラベル上に設けることによって、およびタグ・データをタグ・データ・ストア内に記憶することによって行なうこととが、含まれる。プリントされた情報およびタグ・データは、登録情報を少なくとも部分的に示し、ラベルを対応する車両にいったん取り付ければ好適なリーダを用いて登録情報をチェックできるようにすることができる。
2008516349.tif 000002
【特許請求の範囲】
【請求項１】
車両用の登録ラベルを提供する方法であって、前記方法は、処理システムにおいて、
ａ）車両の素性を少なくとも部分的に示す登録情報を決定することと、
ｂ）ラベルを生成することと、を含み、
前記ラベルの生成は、
ｉ）プリントされた情報をラベル上に設けることであって、ラベルにはタグ・データ・ストアを有するタグが含まれ、プリントされた情報は登録情報を少なくとも部分的に示す、設けることと、
ｉｉ）登録情報を少なくとも部分的に示すタグ・データをタグ・データ・ストアに記憶することであって、ラベルを、車両にラベルが取り付けられるように設け、こうすることで、タグ・データの少なくとも一部を好適なリーダを用いてラベルから取り出せる、記憶することと、によって行なう方法。
【請求項２】
前記方法には、処理システムにおいて、タグ・データを固定することでタグ・データのその後の変更を防止することが含まれる請求項１に記載の方法。
【請求項３】
前記方法には、処理システムにおいて、登録情報の少なくとも一部を暗号化することによってタグ・データを生成して、タグ・データは所定の秘密キーを用いたときにのみ復号化できるようにすることが含まれる請求項１に記載の方法。
【請求項４】
前記方法には、処理システムにおいて、
ａ）登録情報に付随する秘密キーを決定することと、
ｂ）登録情報および秘密キーを用いてタグ・データを生成することと、が含まれる請求項１に記載の方法。
【請求項５】
前記方法には、処理システムにおいて、
ａ）オペレータの素性を示すオペレータ識別子を決定することと、
ｂ）オペレータ識別子を用いてオペレータを認証することと、
ｃ）認証の成功に応答してラベルを生成することと、が含まれる請求項１に記載の方法。
【請求項６】
前記方法には、処理システムにおいて、
ａ）オペレータからオペレータ識別子を受信することと、ｂ）オペレータ識別子を、データベースに記憶されたある数の所定のオペレータ識別子と比較することと、
ｃ）比較の成功に応答してオペレータを認証することと、が含まれる請求項５に記載の方法。
【請求項７】
前記オペレータ識別子には、
ａ）生体認証署名と、
ｂ）パスワードと、
ｃ）ＰｌＮとのうちの少なくとも１つが含まれる請求項５に記載の方法。
【請求項８】
前記方法には、処理システムにおいて、
ａ）登録情報に付随する少なくとも１つのアクセス・レベルを決定することと、
ｂ）少なくとも１つのアクセス・レベルに基づいてタグ・データを生成することと、が含まれる請求項１に記載の方法。
【請求項９】
前記方法には、処理システムにおいて、
ａ）遠隔データベースに記憶するべき付加情報を決定することであって、付加情報は登録情報を少なくとも部分的に示す、決定することと、
ｂ）付加情報を遠隔データベースに記憶することと、
ｃ）遠隔データベース内の付加情報の箇所を示す情報識別子を生成することと、
ｄ）情報識別子に基づいてタグ・データを生成することと、が含まれる請求項１に記載の方法。
【請求項１０】
前記方法には、タグ・データを生成することが含まれ、前記タグ・データには、
ａ）秘密キーを用いて暗号化される登録情報の少なくとも一部が含まれるペイロードと、
ｂ）秘密キーを示すヘッダと、が含まれる請求項１に記載の方法。
【請求項１１】
前記タグ・データは少なくとも部分的に暗号化され、前記方法には、タグからタグ・データを読み出すことが許可された少なくとも１つのエンティティに秘密キーを与えることが含まれる請求項１に記載の方法。
【請求項１２】
前記タグ・データは少なくとも部分的に暗号化され、秘密キーの生成および分配の少なくとも一方は、信頼されたエンティティによって制御され、前記方法には、処理システムにおいて、信頼されたエンティティから秘密キーを得ることが含まれる請求項１に記載の方法。
【請求項１３】
前記方法には、処理システムにおいて、
ａ）所定のアルゴリズムに基づいて秘密キーを生成することと、
ｂ）信頼された第三者から得られる秘密キーを決定することと、の少なくとも一方を行なうことが含まれる請求項１に記載の方法。
【請求項１４】
前記方法には、処理システムにおいて、
ａ）登録情報を少なくとも部分的に示す１つまたは複数のマーキングを生成することと、
ｂ）マーキングをラベルに施すことであって、マーキングは実質的に肉眼では見えず、マーキングは登録情報を少なくとも部分的に示す、施すことと、が含まれる請求項１に記載の方法。
【請求項１５】
前記方法には、処理システムにおいて、タグ・リーダに書き込み信号を生成させることであって、書き込み信号はタグ・データに基づいて変調され、タグは、書き込み信号に応答してタグ・データをタグ・データ・ストアに記憶する、生成させること、が含まれる請求項１に記載の方法。
【請求項１６】
前記処理システムは、
ａ）タグ・リーダの一部であることと、
ｂ）タグ・リーダに通信システムを介して接続されることと、の少なくとも一方である請求項１５に記載の方法。
【請求項１７】
前記処理システムには、プリントされた情報をプリントするためのプリンタが含まれる請求項１に記載の方法。
【請求項１８】
前記登録情報には、
ａ）登録を行なうエンティティの詳細、
ｂ）登録制限、
ｃ）車両詳細、
ｄ）車両所有者詳細、
ｅ）購入情報、
ｆ）保険情報、
ｇ）未払いの違反行為通知のうちの少なくとも１つが含まれる請求項１に記載の方法。
【請求項１９】
車両用の登録ラベルを提供するための装置であって、前記装置は、
ａ）車両の素性を少なくとも部分的に示す登録情報を決定することと、
ｂ）ラベルを生成することと、を行なう処理システムであって、
前記ラベルの生成は、
ｉ）プリントされた情報をラベル上に設けることであって、ラベルにはタグ・データ・ストアを有するタグが含まれ、プリントされた情報は登録情報を少なくとも部分的に示す、設けることと、
ｉｉ）登録情報を少なくとも部分的に示すタグ・データをタグ・データ・ストアに記憶することであって、ラベルを、車両にラベルが取り付けられるように設け、こうすることで、タグ・データの少なくとも一部を好適なリーダを用いてラベルから取り出せる、記憶することと、によって行なう、処理システムを含む装置。
【請求項２０】
前記装置には、書き込み信号を生成するためのタグ・リーダであって、書き込み信号はタグ・データに基づいて変調され、タグは、書き込み信号に応答してタグ・データをタグ・データ・ストアに記憶する、タグ・リーダが含まれる請求項１９に記載の装置。
【請求項２１】
前記処理システムは、
ａ）タグ・リーダの一部であることと、
ｂ）タグ・リーダに通信システムを介して結合されることと、の少なくとも一方である請求項２０に記載の装置。
【請求項２２】
前記装置には、
ａ）オペレータの素性を示すオペレータ識別子を受信するための入力と、
ｂ）書き込み信号を生成するための変調器と、
ｃ）プロセッサとが含まれ、
前記プロセッサは、
ｉ）オペレータ識別子を用いてオペレータを認証することと、
ｉｉ）認証の成功に応答して、
（１）登録情報を決定することと、
（２）登録情報および秘密キーを用いてタグ・データを生成することと、
（３）変調器に書き込み信号を生成させることであって、書き込み信号はタグ・データに基づいて変調され、タグは、書き込み信号に応答してタグ・データをタグ・データ・ストアに記憶する、生成させることと、を行なう請求項１９に記載の装置。
【請求項２３】
請求項１に記載の方法を行なう請求項１９に記載の装置。
【請求項２４】
ａ）車両に基板を取り付けられるように少なくとも１つの粘着部分を有する基板と、
ｂ）ラベル上に設けられ、登録情報を少なくとも部分的に示すプリントされた情報と、
ｃ）登録情報を少なくとも部分的に示すタグ・データを記憶するタグ・データ・ストアを有するタグと、を含む車両登録ラベル。
【請求項２５】
前記ラベルには、不正変更を検出するための少なくとも１つのセキュリティ機能が含まれる請求項２４に記載のラベル。
【請求項２６】
前記ラベルには、粘着によって接続された第１および第２の基板部分が含まれ、基板を車両に取り付けたときに、基板を車両から取り外す試みによって第１および第２の基板部分が分離されるようになっている請求項２５に記載のラベル。
【請求項２７】
前記第１および第２の基板部分の少なくとも一方には、第１および第２の基板部分が分離されたときに露出するマーキングされた表面が含まれ、マーキングはラベル取り外しが試みられたことを示す請求項２６に記載のラベル。
【請求項２８】
前記タグはタグ・アンテナに結合され、
ａ）タグは第１の基板部分に結合され、
ｂ）アンテナは第２の基板部分に結合されていて、
第１および第２の基板部分を分離させるとタグからアンテナが取り外されるようになっている請求項２６に記載のラベル。
【請求項２９】
前記タグは、所定の光学特性を有する材料内に埋め込まれ、ラベルを変形させると材料の光学特性が変化することでラベルによって不正変更が示される請求項２５に記載のラベル。
【請求項３０】
前記タグには、材料中に埋め込まれた染料カプセルが含まれ、染料カプセルは、ラベルが変形されたら染料を放出するように構成されている請求項２５に記載のラベル。
【請求項３１】
前記登録ラベルには、実質的に肉眼では見えない１つまたは複数のマーキングが含まれ、マーキングは登録情報を少なくとも部分的に示す請求項２４に記載のラベル。
【請求項３２】
請求項１に記載の方法を用いて生成される請求項２４に記載のラベル。
【請求項３３】
タグ・データ・ストアを有するタグが含まれる登録ラベルを有する車両に関する行為を行なう方法であって、
前記方法には、処理システムにおいて、
ａ）タグ・データ・ストアから得られる、登録情報を少なくとも部分的に示すタグ・データを決定することと、
ｂ）少なくとも１つの行為を決定することと、
ｃ）登録情報の少なくとも一部を用いて少なくとも１つの行為を行なうことと、が含まれる方法。
【請求項３４】
前記タグ・データを、登録情報の少なくとも一部を暗号化することによって形成し、
前記方法には、処理システムにおいて、
ａ）秘密キーを決定することと、
ｂ）秘密キーを用いてタグ・データを少なくとも部分的に復号化することと、が含まれる請求項３３に記載の方法。
【請求項３５】
前記方法には、処理システムにおいて、
ａ）オペレータの素性を示すオペレータ識別子を決定することと、
ｂ）オペレータ識別子を用いてオペレータを認証することと、
ｃ）認証の成功に応答して、
ｉ）タグ・データを決定すること、
ｉｉ）タグ・データを復号化すること、
ｉｉｉ）少なくとも１つの行為を行なうことのうちの少なくとも１つを行なうことと、が含まれる請求項３３に記載の方法。
【請求項３６】
前記方法には、タグ・リーダにおいて、
ａ）オペレータからオペレータ識別子を受信することと、
ｂ）オペレータ識別子を、データベースに記憶されたある数の所定のオペレータ識別子と比較することと、
ｃ）比較の成功に応答してオペレータを認証することと、が含まれる請求項３５に記載の方法。
【請求項３７】
前記オペレータ識別子には、
ａ）生体認証署名と、
ｂ）パスワードと、
ｃ）ピンとのうちの少なくとも１つが含まれる請求項３５に記載の方法。
【請求項３８】
前記方法には、処理システムにおいて、
ａ）デコードされた情報から少なくとも１つの情報アクセス・レベルを決定することと、
ｂ）オペレータ識別子を用いておよびデータベース内に記憶されるオペレータ詳細から、１つまたは複数のオペレータ・アクセス・レベルを決定することと、
ｃ）情報アクセス・レベルをオペレータ・アクセス・レベルと比較することと、
ｄ）比較の結果に基づいて情報を選択的に表示することと、が含まれる請求項３５に記載の方法。
【請求項３９】
前記方法には、処理システムにおいて、
ａ）デコードされた情報から得られる情報識別子を決定することと、
ｂ）情報識別子を用いて、遠隔データベース内に記憶される付加情報にアクセスすることと、が含まれる請求項３３に記載の方法。
【請求項４０】
前記タグ・データには、
ａ）秘密キーを用いて暗号化された情報を含むペイロードと、
ｂ）秘密キーを示すヘッダとが含まれ、
前記方法には、処理システムにおいて、
ｉ）ヘッダから、秘密キーの表示を決定することと、
ｉｉ）秘密キーの表示を用いて秘密キーを決定することと、
ｉｉｉ）秘密キーを用いてペイロードを復号化することと、が含まれる請求項３３に記載の方法。
【請求項４１】
前記方法には、処理システムにおいて、
ａ）所定のアルゴリズムに基づいて秘密キーを生成することと、
ｂ）信頼された第三者から得られる秘密キーを決定することと、のうちの少なくとも一方が含まれる請求項３３に記載の方法。
【請求項４２】
前記方法には、処理システムにおいて、
ａ）登録情報に関連する少なくとも１つの行為を決定することと、
ｂ）少なくとも１つの行為を、少なくとも一つにはオペレータからの入力命令に基づいて行なうことと、が含まれる請求項３３に記載の方法。
【請求項４３】
前記方法には、処理システムにおいて、タグ・リーダに、
ａ）読み出し信号を生成することであって、タグは、読み出し信号に応答して、読み出し信号をタグ・データ・ストア内に記憶されたタグ・データに基づいて変調する、生成することと、
ｂ）読み出し信号の変調を検出することでタグ・データを決定することと、を行なわせることが含まれる請求項３３に記載の方法。
【請求項４４】
前記処理システムは、
ａ）タグ・リーダの一部であることと、
ｂ）通信システムを用いてタグ・リーダに結合されることと、の少なくとも一方である請求項４３に記載の方法。
【請求項４５】
前記方法には、処理システムにおいて、ラベル上のマーキングを不可視放射源を用いて露光することであって、マーキングは、不可視放射に応答して可視放射を生成し、マーキングは登録情報を示す、露光すること、が含まれる請求項３３に記載の方法。
【請求項４６】
前記行為には、
ａ）違反行為の通知を出すことと、
ｂ）盗難物品を識別することと、
ｃ）車両所有者を識別することと、のうちの少なくとも１つが含まれる請求項３３に記載の方法。
【請求項４７】
前記方法を、
ａ）請求項２４に記載の登録ラベルと、
ｂ）請求項１に記載の方法を用いて生成された登録ラベルと、の少なくとも一方を用いて行なう請求項３３に記載の方法。
【請求項４８】
タグ・データ・ストアを有するタグが含まれる登録ラベルを有する車両に関する行為を行なうための装置であって、
ａ）タグ・データ・ストアから得られる、登録情報を少なくとも部分的に示すタグ・データを決定することと、
ｂ）少なくとも１つの行為を決定することと、
ｃ）登録情報の少なくとも一部を用いて少なくとも１つの行為を行なうことと、に対する処理システムが含まれる装置。
【請求項４９】
前記装置には、タグ・リーダが含まれ、前記タグ・リーダは、
ａ）読み出し信号を生成することであって、タグは、読み出し信号に応答して、読み出し信号をタグ・データ・ストア内に記憶されたタグ・データに基づいて変調する、生成することと、
ｂ）読み出し信号の変調を検出することでタグ・データを決定することと、を行なうためのものである請求項４８に記載の装置。
【請求項５０】
前記処理システムは、
ａ）タグ・リーダの一部であることと、
ｂ）タグ・リーダに通信システムを介して結合されることと、の少なくとも一方である請求項４９に記載の装置。
【請求項５１】
前記装置には、
ａ）入力と、
ｂ）読み出し信号を生成するための変調器と、
ｃ）プロセッサとが含まれ、
前記プロセッサは、
ｉ）入力を介して受信されるオペレータ識別子を用いてオペレータを認証することと、
ｉｉ）認証の成功に応答して、
（１）変調器に読み出し信号を生成させることであって、タグは、読み出し信号に応答して、読み出し信号をタグ・データ・ストア内に記憶されたタグ・データに基づいて変調する、生成させることと、
（２）読み出し信号の変調を用いてタグ・データを決定することと、
（３）タグ・データを用いて秘密キーを決定することと、（４）秘密キーを用いてタグ・データをデコードすることと、を行なうためのものである請求項４８に記載の装置。
【請求項５２】
請求項３３に記載の方法を行なう請求項４８に記載の装置。
【発明の詳細な説明】
【技術分野】
【０００１】
本発明は、資産登録で用いる方法および装置に関し、より詳細には車両登録で用いるために利用されるＲＦＩＤタイプのシステムに関する。
【背景技術】
【０００２】
本明細書において何らかの従来技術を参照するということは、従来技術が周知の一般知識の一部を構成するということを承認するわけでも、どんな形態であれ示唆するわけでもなく、またそのように理解してはならない。
【０００３】
現在、自動車などの車両に関する情報を正確に識別および決定することが求められている。これには、車両を一意に識別できることだけでなく、関連する官庁に車両を確実に合法的に登録できることが含まれる。
【０００４】
現在、車両の識別は通常、シャーシまたは他の箇所に刻まれた連続番号を用いて行なわれる。しかしこのような情報は、多くの場合、位置を特定するのが難しく、また変更することができないため、これが好適であるのは長期間の識別の場合のみである。
【０００５】
しかし登録形式の状況では通常、情報の更新を規則的に行なう必要がある。たとえば車両の所有権を移すときか、または車両登録を新しくするときである。これは通常、車両のフロントガラス上に貼られたステッカなどを用いて行なわれる。しかしこのような配置だと、提供できる情報は限られており、また通常は、ラベルを入れ替えるかまたは変更することが比較的単純であるため、ラベルに含まれる価値は限られている。
【発明の開示】
【発明が解決しようとする課題】
【０００６】
ＲＦＩＤ（無線周波数ＩＤ）システムが、製品識別などで用いられることが知られている。このようなシステムでは、プロセッサと付随アンテナとを有するタグを用いている。使用時、データをタグにプロセッサによって記憶して、データをその後に好適なリーダを用いて取り出すことができる。これを行なうために、リーダは、タグをリーダに誘導結合させる信号を生成する。この結果、電力をタグ・プロセッサに供給することができ、その結果、読み出し信号の後方散乱変調を用いて、情報をリーダに送信することができる。またアクティブ・タグも知られている。これは、電源が組み込まれており、そのため通常は、前述のパッシブ・タグよりも大きなレンジに渡って通信することができる。
【課題を解決するための手段】
【０００７】
第１の概略的な形態において、本発明は、車両用の登録ラベルを提供する方法であって、前記方法は、処理システムにおいて、ａ）車両の素性を少なくとも部分的に示す登録情報を決定することと、ｂ）ラベルを生成することと、を含み、前記ラベルの生成は、ｉ）プリントされた情報をラベル上に設けることであって、ラベルにはタグ・データ・ストアを有するタグが含まれ、プリントされた情報は登録情報を少なくとも部分的に示す、設けることと、ｉｉ）登録情報を少なくとも部分的に示すタグ・データをタグ・データ・ストアに記憶することであって、ラベルを、車両にラベルが取り付けられるように設け、こうすることで、タグ・データの少なくとも一部を好適なリーダを用いてラベルから取り出せる、記憶することと、によって行なう方法を提供する。
【０００８】
典型的には、前記方法には、処理システムにおいて、タグ・データを固定することでタグ・データのその後の変更を防止することが含まれる。
典型的には、前記方法には、処理システムにおいて、登録情報の少なくとも一部を暗号化することによってタグ・データを生成して、タグ・データは所定の秘密キーを用いたときにのみ復号化できるようにすることが含まれる。
【０００９】
典型的には、前記方法には、処理システムにおいて、ａ）登録情報に付随する秘密キーを決定することと、ｂ）登録情報および秘密キーを用いてタグ・データを生成することと、が含まれる。
【００１０】
典型的には、前記方法には、処理システムにおいて、ａ）オペレータの素性を示すオペレータ識別子を決定することと、ｂ）オペレータ識別子を用いてオペレータを認証することと、ｃ）認証の成功に応答してラベルを生成することと、が含まれる。
【００１１】
典型的には、前記方法には、処理システムにおいて、ａ）オペレータからオペレータ識別子を受信することと、ｂ）オペレータ識別子を、データベースに記憶されたある数の所定のオペレータ識別子と比較することと、ｃ）比較の成功に応答してオペレータを認証することと、が含まれる。
【００１２】
典型的には、前記オペレータ識別子には、ａ）生体認証署名と、ｂ）パスワードと、ｃ）ＰｌＮとのうちの少なくとも１つが含まれる。
典型的には、前記方法には、処理システムにおいて、ａ）登録情報に付随する少なくとも１つのアクセス・レベルを決定することと、ｂ）少なくとも１つのアクセス・レベルに基づいてタグ・データを生成することと、が含まれる。
【００１３】
典型的には、前記方法には、処理システムにおいて、ａ）遠隔データベースに記憶するべき付加情報を決定することであって、付加情報は登録情報を少なくとも部分的に示す、決定することと、ｂ）付加情報を遠隔データベースに記憶することと、ｃ）遠隔データベース内の付加情報の箇所を示す情報識別子を生成することと、ｄ）情報識別子に基づいてタグ・データを生成することと、が含まれる。
【００１４】
典型的には、前記方法には、タグ・データを生成することが含まれ、前記タグ・データには、ａ）秘密キーを用いて暗号化される登録情報の少なくとも一部が含まれるペイロードと、ｂ）秘密キーを示すヘッダと、が含まれる。
【００１５】
典型的には、前記タグ・データは少なくとも部分的に暗号化され、前記方法には、タグからタグ・データを読み出すことが許可された少なくとも１つのエンティティに秘密キーを与えることが含まれる。
【００１６】
典型的には、前記タグ・データは少なくとも部分的に暗号化され、秘密キーの生成および分配の少なくとも一方は、信頼されたエンティティによって制御され、前記方法には、処理システムにおいて、信頼されたエンティティから秘密キーを得ることが含まれる。
【００１７】
典型的には、前記方法には、処理システムにおいて、ａ）所定のアルゴリズムに基づいて秘密キーを生成することと、ｂ）信頼された第三者から得られる秘密キーを決定することと、の少なくとも一方を行なうことが含まれる。
【００１８】
典型的には、前記方法には、処理システムにおいて、ａ）登録情報を少なくとも部分的に示す１つまたは複数のマーキングを生成することと、ｂ）マーキングをラベルに施すことであって、マーキングは実質的に肉眼では見えず、マーキングは登録情報を少なくとも部分的に示す、施すことと、が含まれる。
【００１９】
典型的には、前記方法には、処理システムにおいて、タグ・リーダに書き込み信号を生成させることであって、書き込み信号はタグ・データに基づいて変調され、タグは、書き込み信号に応答してタグ・データをタグ・データ・ストアに記憶する、生成させること、が含まれる。
【００２０】
典型的には、前記処理システムは、ａ）タグ・リーダの一部であることと、ｂ）タグ・リーダに通信システムを介して接続されることと、の少なくとも一方である。
典型的には、前記処理システムには、プリントされた情報をプリントするためのプリンタが含まれる。
【００２１】
典型的には、前記登録情報には、ａ）登録を行なうエンティティの詳細、ｂ）登録制限、ｃ）車両詳細、ｄ）車両所有者詳細、ｅ）購入情報、ｆ）保険情報、ｇ）未払いの違反行為通知のうちの少なくとも１つが含まれる。
【００２２】
第２の概略的な形態において、本発明は、車両用の登録ラベルを提供するための装置であって、前記装置は、ａ）車両の素性を少なくとも部分的に示す登録情報を決定することと、ｂ）ラベルを生成することと、を行なう処理システムであって、前記ラベルの生成は、ｉ）プリントされた情報をラベル上に設けることであって、ラベルにはタグ・データ・ストアを有するタグが含まれ、プリントされた情報は登録情報を少なくとも部分的に示す、設けることと、ｉｉ）登録情報を少なくとも部分的に示すタグ・データをタグ・データ・ストアに記憶することであって、ラベルを、車両にラベルが取り付けられるように設け、こうすることで、タグ・データの少なくとも一部を好適なリーダを用いてラベルから取り出せる、記憶することと、によって行なう、処理システムを含む装置を提供する。
【００２３】
典型的には、前記装置には、書き込み信号を生成するためのタグ・リーダであって、書き込み信号はタグ・データに基づいて変調され、タグは、書き込み信号に応答してタグ・データをタグ・データ・ストアに記憶する、タグ・リーダが含まれる。
【００２４】
典型的には、前記処理システムは、ａ）タグ・リーダの一部であることと、ｂ）タグ・リーダに通信システムを介して結合されることと、の少なくとも一方である。
典型的には、前記装置には、ａ）オペレータの素性を示すオペレータ識別子を受信するための入力と、ｂ）書き込み信号を生成するための変調器と、ｃ）プロセッサとが含まれ、前記プロセッサは、ｉ）オペレータ識別子を用いてオペレータを認証することと、ｉｉ）認証の成功に応答して、（１）登録情報を決定することと、（２）登録情報および秘密キーを用いてタグ・データを生成することと、（３）変調器に書き込み信号を生成させることであって、書き込み信号はタグ・データに基づいて変調され、タグは、書き込み信号に応答してタグ・データをタグ・データ・ストアに記憶する、生成させることと、を行なう。
【００２５】
典型的には、本装置は、本発明の第１の概略的な形態の方法を行なう。
第３の概略的な形態において、本発明は、ａ）車両に基板を取り付けられるように少なくとも１つの粘着部分を有する基板と、ｂ）ラベル上に設けられ、登録情報を少なくとも部分的に示すプリントされた情報と、ｃ）登録情報を少なくとも部分的に示すタグ・データを記憶するタグ・データ・ストアを有するタグと、を含む車両登録ラベルを提供する。
【００２６】
典型的には、前記ラベルには、不正変更を検出するための少なくとも１つのセキュリティ機能が含まれる。
典型的には、前記ラベルには、粘着によって接続された第１および第２の基板部分が含まれ、基板を車両に取り付けたときに、基板を車両から取り外すそうとする試みによって第１および第２の基板部分が分離されるようになっている。
【００２７】
典型的には、前記第１および第２の基板部分の少なくとも一方には、第１および第２の基板部分が分離されたときに露出するマーキングされた表面が含まれ、マーキングは、ラベルを取り外そうと試みられたことを示す。
【００２８】
典型的には、前記タグはタグ・アンテナに結合され、ａ）タグは第１の基板部分に結合され、ｂ）アンテナは第２の基板部分に結合されていて、第１および第２の基板部分を分離させるとタグからアンテナが取り外されるようになっている。
【００２９】
典型的には、前記タグは、所定の光学特性を有する材料内に埋め込まれ、ラベルを変形させると材料の光学特性が変化することでラベルによって不正変更が示される。
典型的には、前記タグには、材料中に埋め込まれた染料カプセルが含まれ、染料カプセルは、ラベルが変形されたら染料を放出するように構成されている。
【００３０】
典型的には、前記登録ラベルには、実質的に肉眼では見えない１つまたは複数のマーキングが含まれ、マーキングは登録情報を少なくとも部分的に示す。
典型的には、ラベルは、本発明の第１の概略的な形態の方法を用いて生成される。
【００３１】
第４の概略的な形態において、本発明は、タグ・データ・ストアを有するタグが含まれる登録ラベルを有する車両に関する行為を行なう方法であって、前記方法には、処理システムにおいて、ａ）タグ・データ・ストアから得られる、登録情報を少なくとも部分的に示すタグ・データを決定することと、ｂ）少なくとも１つの行為を決定することと、ｃ）登録情報の少なくとも一部を用いて少なくとも１つの行為を行なうことと、が含まれる方法を提供する。
【００３２】
典型的には、前記タグ・データを、登録情報の少なくとも一部を暗号化することによって形成し、前記方法には、処理システムにおいて、ａ）秘密キーを決定することと、ｂ）秘密キーを用いてタグ・データを少なくとも部分的に復号化することと、が含まれる。
【００３３】
典型的には、前記方法には、処理システムにおいて、ａ）オペレータの素性を示すオペレータ識別子を決定することと、ｂ）オペレータ識別子を用いてオペレータを認証することと、ｃ）認証の成功に応答して、ｉ）タグ・データを決定すること、ｉｉ）タグ・データを復号化すること、ｉｉｉ）少なくとも１つの行為を行なうことのうちの少なくとも１つを行なうことと、が含まれる。
【００３４】
典型的には、前記方法には、タグ・リーダにおいて、ａ）オペレータからオペレータ識別子を受信することと、ｂ）オペレータ識別子を、データベースに記憶されたある数の所定のオペレータ識別子と比較することと、ｃ）比較の成功に応答してオペレータを認証することと、が含まれる。
【００３５】
典型的には、前記オペレータ識別子には、ａ）生体認証署名と、ｂ）パスワードと、ｃ）ピンとのうちの少なくとも１つが含まれる。
典型的には、前記方法には、処理システムにおいて、ａ）デコードされた情報から少なくとも１つの情報アクセス・レベルを決定することと、ｂ）オペレータ識別子を用いておよびデータベース内に記憶されるオペレータ詳細から、１つまたは複数のオペレータ・アクセス・レベルを決定することと、ｃ）情報アクセス・レベルをオペレータ・アクセス・レベルと比較することと、ｄ）比較の結果に基づいて情報を選択的に表示することと、が含まれる。
【００３６】
典型的には、前記方法には、処理システムにおいて、ａ）デコードされた情報から得られる情報識別子を決定することと、ｂ）情報識別子を用いて、遠隔データベース内に記憶される付加情報にアクセスすることと、が含まれる。
【００３７】
典型的には、前記タグ・データには、ａ）秘密キーを用いて暗号化された情報を含むペイロードと、ｂ）秘密キーを示すヘッダとが含まれ、前記方法には、処理システムにおいて、ｉ）ヘッダから、秘密キーの表示を決定することと、ｉｉ）秘密キーの表示を用いて秘密キーを決定することと、ｉｉｉ）秘密キーを用いてペイロードを復号化することと、が含まれる。
【００３８】
典型的には、前記方法には、処理システムにおいて、ａ）所定のアルゴリズムに基づいて秘密キーを生成することと、ｂ）信頼された第三者から得られる秘密キーを決定することと、のうちの少なくとも一方が含まれる。
【００３９】
典型的には、前記方法には、処理システムにおいて、ａ）登録情報に関連する少なくとも１つの行為を決定することと、ｂ）少なくとも１つの行為を、少なくとも一つにはオペレータからの入力命令に基づいて行なうことと、が含まれる。
【００４０】
典型的には、前記方法には、処理システムにおいて、タグ・リーダに、ａ）読み出し信号を生成することであって、タグは、読み出し信号に応答して、読み出し信号をタグ・データ・ストア内に記憶されたタグ・データに基づいて変調する、生成することと、ｂ）読み出し信号の変調を検出することでタグ・データを決定することと、を行なわせることが含まれる。
【００４１】
典型的には、前記処理システムは、ａ）タグ・リーダの一部であることと、ｂ）通信システムを用いてタグ・リーダに結合されることと、の少なくとも一方である。
典型的には、前記方法には、処理システムにおいて、ラベル上のマーキングを不可視放射源を用いて露光することであって、マーキングは、不可視放射に応答して可視放射を生成し、マーキングは登録情報を示す、露光すること、が含まれる。
【００４２】
典型的には、前記行為には、ａ）違反行為の通知を出すことと、ｂ）盗難物品を識別することと、ｃ）車両所有者を識別することと、のうちの少なくとも１つが含まれる。
典型的には、前記方法を、ａ）本発明の第３の概略的な形態による登録ラベルと、ｂ）本発明の第１の概略的な形態の方法を用いて生成された登録ラベルと、の少なくとも一方を用いて行なう。
【００４３】
第５の概略的な形態において、本発明は、タグ・データ・ストアを有するタグが含まれる登録ラベルを有する車両に関する行為を行なうための装置であって、ａ）タグ・データ・ストアから得られる、登録情報を少なくとも部分的に示すタグ・データを決定することと、ｂ）少なくとも１つの行為を決定することと、ｃ）登録情報の少なくとも一部を用いて少なくとも１つの行為を行なうことと、に対する処理システムが含まれる装置を提供する。
【００４４】
典型的には、前記装置には、タグ・リーダが含まれ、前記タグ・リーダは、ａ）読み出し信号を生成することであって、タグは、読み出し信号に応答して、読み出し信号をタグ・データ・ストア内に記憶されたタグ・データに基づいて変調する、生成することと、ｂ）読み出し信号の変調を検出することでタグ・データを決定することと、を行なうためのものである。
【００４５】
典型的には、前記処理システムは、ａ）タグ・リーダの一部であることと、ｂ）タグ・リーダに通信システムを介して結合されることと、の少なくとも一方である。
典型的には、前記装置には、ａ）入力と、ｂ）読み出し信号を生成するための変調器と、ｃ）プロセッサとが含まれ、前記プロセッサは、ｉ）入力を介して受信されるオペレータ識別子を用いてオペレータを認証することと、ｉｉ）認証の成功に応答して、（１）変調器に読み出し信号を生成させることであって、タグは、読み出し信号に応答して、読み出し信号をタグ・データ・ストア内に記憶されたタグ・データに基づいて変調する、生成させることと、（２）読み出し信号の変調を用いてタグ・データを決定することと、（３）タグ・データを用いて秘密キーを決定することと、（４）秘密キーを用いてタグ・データをデコードすることと、を行なうためのものである。
【００４６】
典型的には、本装置は、本発明の第４の概略的な形態の方法を行なう。
次に本発明の例について、添付の図面を参照して説明する。
【発明を実施するための最良の形態】
【００４７】
システム例を、図１〜４を参照して説明する。図１〜４では、タグ、対応するタグ・リーダ／ライタ（以下では包括的に「タグ・リーダ」と言う）、およびタグ・リーダとともに使用しても良いコンピュータ・システムが示されている。
【００４８】
詳細には、図１は、車両（自動車、トラック、車、ボート、船、列車など）に、登録ラベルの一部として結合しても良いタグの例を示す概略図である。この例では、タグ１には、アンテナ２が含まれ、これはコントローラ３に結合されている。コントローラ３は通常、所望のデータ記憶および出力機能を実現するマイクロプロセッサである。これを行なうために、コントローラ３には通常、図示するようにプロセッサ４、メモリ５、および変調器６が含まれる。
【００４９】
使用時、タグはアンテナ２を介して信号を受信するように構成されている。コントローラ３は、信号を整流することで電力を得るように動作する。電力はプロセッサ４に供給されて、プロセッサ４はメモリ５とのやり取りを、そこにデータを書き込むかまたはそこからデータを読み出すことによって、行なうことができる。これについては、後に詳細に説明する。この結果、タグは、対応するタグ・リーダとの間で双方向通信ができるため、タグ上に記憶された情報を取り出して見ることができる。
【００５０】
タグは、個々の車両に関係づけられた情報を記憶するために使用される。これは、一意の識別子を記憶することによって行なっても良い。識別子は、好ましい具体化に応じて、車両に関する登録情報を含む遠隔データベースを相互参照するために使用できるか、または代替的に、登録情報をタグ自体に直接記憶するために使用できる。登録にはたとえば、以下のうちの少なくとも１つを含めることができる。製造業者情報、たとえば車両製造元、車両モデル、製造年、製造業者素性、製造国、エンジン／シャーシ番号、車両部品番号、走行距離計読み取り値、ＶＩＮ（車両識別番号）、トランスミッション番号、ステアリング・ラック番号、差動装置番号。所有者情報、たとえば所有者の名前、所有者の住所、所有者の免許証番号。登録詳細。監視員詳細。サービス詳細。保険詳細。車両のメイン・ドライバの接触先詳細。
【００５１】
当然のことながら、タグ上に記憶されて取り出される登録情報には、種々の応用例がある。これについては、後に詳細に説明する。
タグは通常、登録ラベルの一部を形成するが（これについては後に詳細に説明する）、種々の方法を用いて車両に直接結合しても良い。たとえばタグは、車両フレームまたはシャーシに直接取り付けても良いし、エンジンまたは他の好適な車両部品に結合されるプレートの一部を形成しても良い。
【００５２】
図２および図３にリーダの例を示す。詳細には、リーダ１０には、プロセッサ１１が含まれ、プロセッサ１１は、メモリ１２と、入力デバイス１３と、ディスプレイ１４と、変調器１５と、外部インターフェース１７とに、バス１８を介して結合している。これは図示した通りである。変調器１５はアンテナ１６に結合している。
【００５３】
使用時、変調器６、１５、および付随するアンテナ１６、２は、極めて接近して配置されたときに、誘導結合された同調回路を形成する。その結果、アンテナ１６を通して交流を流すことによって、対応する電流がアンテナ２の中に誘起される。変調器６、１５を用いてインダクタンス（したがって同調回路の共振周波数）を変えることができる。その結果、タグ１とリーダ１０との間で情報を送ることができる。
【００５４】
このように、好適に変調された信号が変調器１５によって生成されたことを、変調器６によって検出することができ、その結果、データをタグ１に書き込むことができる。この場合、プロセッサ４によって、変調信号がインタープリットされ、受信データがメモリに書き込まれる。逆に、変調器６を用いて、アンテナ６の中に誘起された信号を変調することができる。この結果、変調器１５によって生成された信号の後方散乱変調が行なわれる。これは、変調器１５によって検出することができ、その結果、データをタグから読み出すことができる。
【００５５】
当業者であれば理解するように、これはしたがって、一例において、ＲＦＩＤタイプのタグ・システムである。この場合、信号の変調は、位相変調または振幅変調とすることができ、タグとリーダとの間の結合は、好ましい具体化に応じて、誘導性（前述したように）または容量性である。
【００５６】
図３に、携帯型リーダ１０の外部構成の例を示す。図示するように、リーダ１０にはハウジング２０が含まれ、ハウジング２０はメイン部分２１を有し、メイン部分２１は取っ手２２に結合されている。ハウジングには通常、ディスプレイ１４、任意的な付加的ディスプレイ・インディケータ１４Ａ、および入力デバイス１３（通常、キーパッド入力システム１３の形態である）などが含まれ、これらがハウジング上に実装されている。付加的な入力制御（たとえばトリガ１３Ａ）を、図示するように使用しても良い。
【００５７】
一例では、アンテナ１６は、図３に示すように伸縮式のアンテナの形態である。あるいはアンテナを、使用目的に応じて、メイン・ハウジング２１内に収容して配置しても良い。これについては、後に詳細に説明する。
【００５８】
通常、リーダ１０はまた、外部インターフェース１７を介して、コンピュータ・システム（図４において３０に概略的に示す）と通信するように構成されている。通常、コンピュータ・システムには、マイクロプロセッサ３１が含まれ、マイクロプロセッサ３１は、メモリ３２、入／出力装置３３（たとえばキーボードおよびディスプレイなど）、および外部インターフェース３４に結合されており、これらは、図示するようにバス３５を介して互いに結合されている。コンピュータ・システム３０は、図示するように、遠隔データベース３６に、外部インターフェース３４を介して結合されていても良い。
【００５９】
その代わりにまたはそれに加えて、外部インターフェース３４は、リーダ１０の外部インターフェース１７に結合されていても良い。これはたとえば、ＲＳ２３２シリアル接続、ＵＳＢ接続、無線ブルートゥース接続などを用いて行なう。使用時には、プロセッサ１１、３１が実行するアプリケーション・ソフトウェアによって、リーダ１０およびコンピュータ・システム３０は、必要に応じて、互いの間で通信してデータを送ることができる。付加的な機能を設けても良い。これについては、後に詳細に説明する。
【００６０】
したがって当然のことながら、コンピュータ・システム３０は、どんな形態のコンピュータ・システムであっても良い。たとえばデスクトップ・コンピュータ、ラップ・トップ、パーム・トップ、専用のハードウェアなどである。同様に、リーダ１０が用いるプロセッサ１１は、種々の形態で実施することができ、プログラマブル・ロジック・アレイ（ＰＬＡ）、専用のハードウェアなどから形成しても良い。
【００６１】
使用時、システムによって、登録情報をタグ１上に記憶し、その後にタグ１から取り出すことが、リーダ１０だけを用いて、またはリーダ１０およびコンピュータ・システム３０の組み合わせを用いて、行なうことができる。本発明の好ましい例では、タグ１は、データ記憶容量の大きいタグであり、たとえば１２５ｋＨｚのＨｉｔａｇＳ２０４８ＲＦＩＤタグである。この結果、著しい量の情報を、詳細には最大１９２０ビットまたは２４０文字を、タグに直接記憶することが、必ずしも遠隔データベースにアクセスする必要がなく可能である。
【００６２】
このようなシステムでは、タグの読み出しを、遠隔におよび適切であれば任意のリーダを用いて行なうことができるため、タグに記憶される任意の情報が第三者にアクセスされる可能性がある。タグに対する多くの応用例において、ユーザ詳細などの秘密情報が含まれるため、これは望ましくないことである。そのため、情報のプライバシを確実に維持するために、システムでは、強力な暗号化技術を用いて、暗号化されたフォーマットで情報がタグ１に記憶されるようにする。これにより、秘密キーの配布を制御することと相まって、情報は確実に安全な状態にいる。
【００６３】
次に図５を参照して、システムの利用方法の例について説明する。
詳細には、ステップ１００において、オペレータ（たとえば車両登録の官庁に雇われている職員）が、登録手続きを経て、その結果、オペレータは１つまたは複数の個々のタグ・リーダ１０に関連付けられる。こうして、オペレータとリーダ１０との間で一意の関連付けが形成されて、有効に登録されたオペレータのみがリーダ１０を使用できるようになる。これは、１回限りの手続きであっても良く、情報をタグに書き込む度に必要なわけではない。
【００６４】
ステップ１１０では、タグ１内でエンコードすべき登録情報がリーダ１０に提供される。これは、コンピュータ・システム３０を介してかまたは入力デバイス１３を介して、行なわれる。登録情報は、個々の車両に付随する情報であり、車両を適切な登録官庁に登録するために提供されるものである。したがってこれには、車両および車両所有者の両方に関するある範囲の情報が含まれることは、すでに概説した通りである。
【００６５】
ステップ１２０では、登録情報（または少なくともその一部）が、タグ１に、暗号化された形式で書き込まれる。付加情報を、任意的に、遠隔データベース３６に必要に応じて書き込んでも良い（ステップ１３０）。
【００６６】
これらのステップは、書き込み手続きを表しているが、通常は登録官庁によって行なわれ、許可された登録ラベル上に設けられたタグに情報を書き込むことが伴う。登録ラベルには通常、関連情報もプリントされる。これについては、後に詳細に説明する。いったんこの手続きが終了したら、ラベルを、車両所有者に与えて、車両に通常の方法で取り付けることができる。
【００６７】
その後にタグ１から情報を読み出すためのプロセスを、ステップ１４０以降に示す。詳細には、ステップ１４０において、リーダ１０によって、エンコードされた情報をタグ１から読み出し、遠隔データベース３６に任意的にさらにアクセスすることを、必要に応じてステップ１５０で行なう。この結果、リーダ１０は、タグ１に付随する情報を収集することができ、次にこの情報を、オペレータに対してディスプレイ１４上に表示しても良い（ステップ１６０）。次に、提供された情報に対応する１つまたは複数の行為を行なっても良い（ステップ１７０）。
【００６８】
当然のことながら、プロセスは、他を全体をリーダ１０が行なっても良いし、または部分的にリーダ１０がコンピュータ・システム３０とともに行なっても良い。したがってたとえば、タグに書き込むべき情報を、コンピュータ・システム３０に入力して、その後にリーダ１０にアップロードしても良い。これは、コンピュータ・システム３０に、データをより簡単に入力できるもっとユーザ・フレンドリな入力インターフェースがある場合に用いても良い。明瞭にするために、以下の説明では、リーダ１０が行なうプロセスを中心に進めるが、当然のことながら、すべてのプロセスを、好ましい具体化に応じて、リーダ１０がコンピュータ・システム３０とともに行なっても良い。
【００６９】
次に図６、７Ａ、７Ｂ、および８を参照して、プロセスについて詳細に説明する。
詳細には、リーダを用いるためにオペレータを登録する手続きについて、図６で述べる。この例では、プロセスは一般的に、リーダ初期化フェーズ（ステップ２００〜２２０）とオペレータ登録（ステップ２３０〜２７０）とに分離される。
【００７０】
リーダ初期化フェーズ時には、ステップ２００に示すように、１つまたは複数の秘密キーが生成される。秘密キーは、特定のタイプの情報を暗号化するために使用するべきキーであり（これについては、後に詳細に説明する）、したがって情報の付随するタイプの表示も与えて良い。
【００７１】
当然のことながら、秘密キーを多くのリーダ間で共有して、多くのリーダが、タグ１上に与えられたデータにアクセスできるようにすることができる。この場合、キーはデータベースなどから得ても良い。あるいは、秘密キーは新しくても良い。これはたとえば、秘密キーが個々のリーダ１０に固有である場合、または個々のタイプの情報を最初に用いる場合である。この場合に、キーは、所定のアルゴリズムを用いて生成しても良い。任意の形態の秘密キー暗号化システムを用いても良いが、一例では、システムは、１２８ビットのＡＥＳ暗号化プロトコルを用いて６４ビットの秘密キーに基づく。
【００７２】
ステップ２１０では、１つまたは複数のアクセス・レベルを規定することができる。これらは、タグに与えるべき情報に対応するアクセス権を表わし、こうすることで、情報に対するアクセスを選択的に制限して、異なるオペレータに、異なるアクセス権を割り当てることができる。
【００７３】
ステップ２２０では、１つまたは複数のキーおよび１つまたは複数のアクセス・レベルの詳細を、リーダ１０のメモリ１２に従来の技術を用いて記憶する。
当然のことながら、ステップ２００および２２０を規定することは、最初にリーダ１０を用いるときだけに必要であっても良い。あるいは、個々の状況に応じて、これらを、必要となる度に繰り返しても良い。
【００７４】
ステップ２３０では、リーダ１０の１つまたは複数のオペレータに付随するオペレータ詳細を規定する必要がある。オペレータ詳細には、ある範囲の情報、たとえばオペレータの名前および他の個人情報、使用方法の詳細、雇用主などが、含まれていても良い。いったんオペレータに関する基本的な詳細が得られたら、オペレータに付随するアクセス・レベルを規定する（ステップ２４０）。したがって、当然のことながら、多くのオペレータがリーダ１０に付随している場合には、タグ１上に記憶される一部の情報については、ある特定のオペレータのみが見られることが望ましい場合がある。この場合、これらのオペレータには、異なるアクセス・レベルを与えても良い。またアクセス・レベルを用いて、タグ１への情報の書き込みを制御しても良い。
【００７５】
ステップ２５０では、オペレータＩＤを形成することで、オペレータをリーダ１０が認証することができる。ＩＤの種類は、利用する認証メカニズムによって決まる。これについては、後に詳細に説明する。ステップ２６０では、オペレータの詳細（少なくとも、オペレータに付随するオペレータＩＤおよび任意のアクセス・レベルを含む）を、リーダ１０のメモリ１２に記憶する。さらなる詳細を、遠隔データベース３６に記憶して、この詳細にリーダ１０とは無関係にアクセスまたは更新できるようにしても良い。
【００７６】
この手続きの後に、オペレータは、個々のリーダ１０を、タグ読み出し／書き込み動作に用いることができる。
前述した手続きに対する代替案として、オペレータ詳細を、単独でデータベース３６に記憶しても良い。この場合、オペレータの認証を行なうときに、リーダ１０が遠隔データベース３６にアクセスする必要がある。
【００７７】
いずれにしても、リーダ１０を用いて情報をタグ１に書き込むことの例について、図７Ａおよび７Ｂを参照して説明する。
登録ラベルの形成は通常、登録官庁において行なわれる。したがってステップ１０００において、エンティティたとえば車両所有者が、車両登録を申し込み、そして必要な情報を登録官庁のオペレータに提供する（ステップ１０１０）。当然のことながら、提供しなければならない情報は、特定の登録シナリオによって決まる。
【００７８】
したがって、たとえば所有者が、以前の所有者からの車両の譲渡を準備している場合には、通常、新しい所有者詳細を提供するだけでなく、譲渡の要求を満たすために必要な何らかの情報を提供する必要がある。しかし登録を更新している場合には、単純に、車登録の表示、エンティティ素性の確認、および好適な取引手数料を提供するだけで許可される場合がある。通常、道路走行に適していることの証拠、保険に入っていることなども提供する必要があり得るとともに、当該管轄区域での立法上の要求に応じて必要となり得る何らかの情報も提供する必要があり得る。これには、ステップ１０４０に関して後述する情報のいずれかが含まれていても良い。
【００７９】
いずれにしても、ステップ１０２０において、オペレータは通常、自分たちのＩＤをリーダ１０に提供して、リーダがオペレータを認証できるようにする（ステップ１０３０）。これが行なわれる方法は具体化によって決まる。すなわち、たとえば登録官庁で使用されるリーダを、内部のコンピュータ・システム（たとえばＬＡＮなど）に接続しても良い。この場合、オペレータが登録官庁のコンピュータ・システムにログオンすると、これを用いて、オペレータをリーダ１０が自動的に認証することができる。あるいは、オペレータ・コンピュータは、ラベルを形成すべきときにリーダに認証資格を転送する必要があっても良い。
【００８０】
ステップ１０４０では、登録オペレータは登録情報を生成する。この場合も、登録情報は、車両を登録している管轄区域と局地的な法的要件とによって決まる。しかし通常は、登録情報には以下のうちの１つまたは複数が含まれる。登録情報、たとえば製造業者の素性、車両製造元／モデル、製造の年／日付、最初の登録の年／日付、エンジン容量、車両の色、製造場所、車両タイプ（たとえば２ドア・セダン）、走行距離計読み取り値、ＶＩＮ（車両識別番号）、シャーシ番号、エンジン番号、組み立てた年、トランスミッション番号、ステアリング・ラック番号、差動装置番号、および任意の他の関連情報。購入情報、たとえば購入日付、所有者情報、以前の所有者からの権限または譲渡、取引詳細たとえば価格など。許可情報（車両がたとえば以下の道路走行適正要求を満足していることを確認する）、許可番号、検査日付、検査番号、許可制約、検査を行なうエンティティの詳細、整備士の素性、変更日付、変更整理番号、施された変更のリスト。登録詳細、たとえば登録番号、免許証プレート番号、登録満了の日付、製造業者の素性、車両製造元／モデル、製造の年／日付、最初の登録の年／日付、エンジン容量、車両の色、製造場所、車両タイプ（たとえば２ドア・セダン）、走行距離計読み取り値、ＶＥＳＴ（車両識別番号）、シャーシ番号、エンジン番号、組み立てた年、トランスミッション番号、ステアリング・ラック番号、差動装置番号、車の色、走行距離計読み取り値、評価額、ディーラの素性、車両供給業者。所有者／ドライバに関連する詳細、たとえば保険会社詳細（たとえば、保険証書番号、保険業者素性、満了日付）、金融会社詳細（たとえば、保険証書番号、金融会社素性、満了日付）、所有者詳細（たとえば、名前、住所、近親者、意図するかまたは通常の駐車場所、メイン・ドライバの詳細、他の任意の指定ドライバの詳細）、未払いの違反行為通知（たとえば、未払いの駐車違反の切符、未払いの道路通行料金、未払いの交通違反）。他の任意の関連情報。
【００８１】
このように、車両および所有者に関する単純な規定情報以外に、タグ上でエンコードされる情報には、未払いの罰金などに関する情報を含めることができる。このことを行なうために、当該の罰金を科す官庁は、登録官庁に、任意の未払いの罰金について周期的に通知する。そしてこの情報を、登録ラベルに、ラベルを年に１回取り替えるごとに書き込むことができる。こうすることで、情報を適切な監視員が取り出して、通知のごとに行なうべき行為について決定することができる。これについては、後に詳細に説明する。
【００８２】
ステップ１０５０では、オペレータは任意的に、付加的な登録情報を規定する。この情報には、記録する必要はあるが、何らかの意図があってタグ１上での記録には適さない情報が含まれる。すなわち、この情報には、たとえば登録官庁に関する内部整理番号などが含まれる場合がある。これに加えて、当然のことながら、タグに書き込まれる登録情報を、第２のデータベースに複製しても良く、したがって前述した登録情報に含めても良い。
【００８３】
登録情報を決定するプロセスの間、オペレータは多くの供給源からデータを得ても良い。
通常、車には既存の登録情報が、それが全くの新しい登録でない限り含まれる。そのため既存の登録情報がある場合には、これを基礎として、新しい登録情報によって、変更される情報または必要に応じて取得される付加情報とともに使用される。付加情報は、多くの供給源から得ても良い。たとえばエンティティから（すなわちステップ１０１０において）、登録データベースからなどである。
【００８４】
その代わりに、またはそれに加えて、情報を、入力１３を介してあるいはコンピュータ・システム３０を介して入力しても良い。コンピュータ・システム３０はその後、登録情報をリーダ１０に、外部インターフェース１７を介して送る。
【００８５】
ステップ１０６０では、オペレータが、登録情報に対するアクセス・レベルを規定する。単一のアクセス・レベルをすべての情報に対して規定しても良いし、あるいは、情報の異なる部分を異なるアクセス・レベルに、情報の感度に応じて関連付けても良い。
【００８６】
たとえば登録情報には、前述したように、製造業者情報および／または所有者情報が含まれていても良い。ある特定の状況では、特定のオペレータは製造業者情報のみを読み出せて、一方で、別のオペレータは、所有者情報および製造業者情報の両方を読み出しおよび書き込めることが適切な場合がある。種々のレベルの許可たとえばアクセス・フラッグを用いて、特定のオペレータに対するデータのアクセスを示しても良い。これについては、後に詳細に説明する。
【００８７】
このように、アクセス・レベルを情報の異なる部分に対して変えても良く、したがって当然のことながら、このようにすることは、異なるクラスの登録情報の規定を、異なるアクセス・レベル（それぞれの個々のクラスに対して規定される）を用いて行なうことによって、実現することができる。
【００８８】
情報の入力を容易にするために、通常、ユーザに対して、ＧＵＩ（グラフィカル・ユーザ・インターフェース）がコンピュータ３０上で示される。これには、情報が入力され得るフィールドが含まれる。提示される個々のフィールドは、提供される情報のタイプによって決まっても良い。いずれにしても、これによってユーザは、異なるアクセス・レベルを異なるフィールドに関連付けることができ、こうすることで、アクセス・レベルの指定が容易になる。
【００８９】
ステップ１０７０では、登録情報を暗号化する際に使用する秘密キーを規定する。これは、プロセッサ１１が実行するアプリケーション・ソフトウェアが、たとえば入力される情報のタイプに応じて自動的に選択しても良いし、あるいはオペレータが、たとえば主要なデータベースから選択しても良いし、またはその場で適切なアルゴリズムを用いて生成しても良い。複数のキーを、たとえば複数の異なるアクセス・レベルを有する情報をエンコードするために、割り当てても良い。
【００９０】
ステップ１０８０では、プロセッサ１１が、１つまたは複数の秘密キーを用いて登録情報をエンコードする。これは通常、プロセッサ１１の動作を、タグ上に記憶するべき登録情報を表わすバイナリ文字列とともに、付随するアクセス・レベルの詳細を生成するように、行なわせることによって、実現される。これは通常、登録情報を文字列としてエンコードすることを、アクセス・レベルを規定する付随するフラッグを用いて行なうことによって、実現される。
【００９１】
結果として生じる文字列を次に、選択された秘密キーを用いて暗号化して、暗号化された文字列を生成する。暗号化された文字列を次に、データを暗号化するための秘密キーを示すヘッダに関連付ける。暗号化された文字列を、以後、ペイロードと言う。ペイロードとヘッダとを組み合わせたものが、データ・パケットを形成する。
【００９２】
ステップ１０９０では次に、登録ラベルに、登録情報の少なくとも一部をプリントする。次に図９および１０を参照して、登録ラベルの例について詳細に説明する。
詳細には、図９に示すように、登録ラベル４０には、タグ１が、プリントされた登録情報４１とともに含まれる。プリントされた登録情報は通常、当該の管轄区域に応じて、車または他の車両の標準的な登録情報に対応する。こうして、図示した例では、情報には、登録を発行する官庁の表示４２、車両登録番号４３、および満了の日付４４が含まれる。
【００９３】
使用時、登録ラベル４０は、図示するように、車両４６のフロントガラス４５に取り付けることができる。こうして、登録ラベルを通常の方法で使用することができる。しかし、標準的な登録情報を提供することに加えて、付加情報をタグに記憶することができる。これについては、次に説明する。
【００９４】
こうして、登録ラベル４０には通常、少なくとも最小限の登録情報（登録番号および登録の満了日付などを含む）が含まれ、これは、登録官庁から発行される既存の登録ラベルに含まれる情報と同一であっても良い。
【００９５】
ステップ１１００では、登録ラベルにプリントした後、リーダ１０が、エンコードされた登録情報をタグに書き込むように動作する。これは、プロセッサ１１に変調器１５を制御させて、エンコードされたデータに基づいて変調された書き込み信号を変調器に生成させることによって行なわれる。当然のことながら、変調器１５が生成した書き込み信号によって、電力がコントローラ３に誘導結合され、変調が変調器６によって検出される。プロセッサ４は、変調をインタープリットしてデータ・パケットを決定し、これをメモリ５に書き込む。
【００９６】
このプロセスは一般的に、ＷＯＲＭ（一度だけ書き込み、何度でも読み出し）プロセスとして行なわれ、その後にデータが変更できないようにされる。ただし、これは本質的なことではない。これは、多くの方法で行なうことができる。たとえば、データ・パケットのヘッダ内にフラッグを設定して、データは上書きできないことを示すことによって行なう。
【００９７】
当業者であれば理解するように、タグは固定されているが、これは、タグに予備のデータ容量を与えてタグに付加情報をもっと後の日付で書き込めるようにすることを、阻むものではない。これには、たとえば所有権の変更などの表示を含めることができる。これ以外に、本プロセスを用いて、違反行為通知を繰り返して受けている車両などを識別することもできる。
【００９８】
ステップ１１１０では、付加的な登録情報も、必要に応じて遠隔データベースに書き込むことができる。これが行なわれた場合、一意の識別子を、データ・パケットの一部として、およびデータベース３６に記憶される情報の一部として記憶することで、データベース３６に記憶された登録情報をその後に個々のタグ１に関連付けることができる。このような付加的な登録情報の例には、車両の特徴的な物理的特徴が含まれていても良い。たとえばエアフォイル、サンルーフ、またはフラッドライトが含まれていても良い。
【００９９】
ステップ１１２０では、リーダ１０内のメモリ１２の内容および付加的にコンピュータ・システム３０内のメモリ３２の内容を消去することで、登録情報がデバイス上に保持されていないことを確実にする。この結果、情報の機密性がさらに確実なものとなる。
【０１００】
ステップ１１３０では、ユーザがラベルを車両に取り付けて、登録が終了する。
当然のことながら、このプロセスを、周期的に（たとえば年に１回）繰り返すことで、ラベル上の詳細を確実に最新状態に保つ。こうして、通常の登録手続きの場合と同様に、登録は通常、１年間だけ有効である。この期間の終わりに、ユーザは、ラベルを取り外して廃棄して、登録官庁から発行される新しいラベル（詳細が更新されている）を用意する。
【０１０１】
こうして、一例では、前述のプロセスにおいて、登録官庁は、中央もしくは地方のセンタまたは局地的なセンタから登録を通常の方法で出すことができるが、ラベル内に電子的に埋め込まれた登録情報を付加的に含むことができる。この結果、付加情報をラベル内に記憶できる一方で、この情報を、適切なアクセス・プロトコルを通して選択された当事者のみに対して利用可能とすることができる。
【０１０２】
次に、情報をタグから読み出す方法について、図８を参照して説明する。
詳細には、ステップ４００で、オペレータが自分のＩＤをリーダ１０に提供することで、リーダ１０がオペレータを認証することができる（ステップ４１０）。
【０１０３】
ステップ４２０では、オペレータがリーダ１０を、たとえばトリガ１３Ａを用いて作動させ、そしてリーダ１０をタグ１の近くに置くことで、リーダ１０にデータ・パケットをタグ１から読み出させる。この場合、通常、プロセッサ１１は変調器１５に読み出し信号を生成させる必要がある。読み出し信号は、変調のない交流信号である。読み出し信号によって、電力がタグ１に誘導結合されることで、コントローラ３に電力が供給される。この結果、プロセッサ４は、メモリ５に記憶されたデータ・パケットにアクセスし、そして変調器６は同調回路の共振周波数を変調する。この結果、同調回路の位相または振幅応答が変わり、これが変調器１５によって検出されることで、プロセッサ１１がデータ・パケットを決定することができる。
【０１０４】
次にプロセッサ１１は、データ・パケット・ヘッダを読み出すように動作して（ステップ４３０）、ペイロードを暗号化するときに使用された１つまたは複数の秘密キーを決定し、こうすることで、プロセッサ１１は、秘密キーを用いてペイロードを復号化することができる（ステップ４４０）。
【０１０５】
次にプロセッサ１１は、復号化されたデータを構文解析するように動作して、データ内に与えられた登録情報に付随する任意のアクセス・レベルを決定する（ステップ４５０）。この結果、プロセッサ１１は、オペレータのアクセス・レベルを登録情報のアクセス・レベルと比較することができ、オペレータに、登録情報の一部またはすべての閲覧が許可されているかどうかを判断することができる。次にこの登録情報をオペレータに、ディスプレイ１４を用いて示す（ステップ４６０）。その代わりに、またはそれに加えて、情報をコンピュータ・システム３０上に表示しても良い。
【０１０６】
この時点で、情報が遠隔データベース３６に記憶されている場合には、プロセッサ１１はそのことを、一意の識別子の存在によって判定する。この場合、リーダ１０は、可能ならばデータベース３６へのアクセスを、たとえば無線ネットワーク（たとえば携帯電話、ＧＰＲＳネットワークなど）を介して行なって、付加情報をオペレータに表示する。あるいは、データベース３６にアクセスできない場合には、このことをオペレータにディスプレイ１４上で示しても良く、その結果、登録情報を後の機会に取り出すことができる。
【０１０７】
登録情報を表示すること以外に、リーダ１０は、登録情報に関する１つまたは複数の行為を選択できるように構成されていても良い。これは一般的に、タグ１上に記憶された登録情報を変更することは含まないが、ある特定の目的のために登録情報を用いることを含むことができる。これについては、後に詳細に説明する。
【０１０８】
この場合、プロセッサ１１は、登録情報に関連する行為、または具体化によって決まる他の利用可能な行為のリストを決定して、これらをオペレータに表示する（ステップ４７０）。これは通常、プロセッサ１１にアプリケーション・ソフトウェアを実行させることによって行なわれる。アプリケーション・ソフトウェアは、メモリ１２に記憶され、リーダ１０の個々の使用方法に特定的である。このことは、当業者であれば理解する。
【０１０９】
ステップ４８０では、オペレータから適切な入力が与えられることで、リーダ１０が個々の行為を、アプリケーション・ソフトウェア内で規定される指示に基づいて行なうことができる（ステップ４９０）。
【０１１０】
これはたとえば、車両を識別するために利用できる。これはたとえば、車両が盗まれた場合または車両のリコールが必要な場合などである。またこれは、たとえば車両追跡（スピード違反、駐車違反の切符に関する違反行為通知を出すときなどに用いる）を行なうために利用できるだけでなく、道路通行料金の収集を可能にするために利用できる。
【０１１１】
これを行なうために、タグ１に書き込まれた情報に、所有者を識別するための詳細を含めることができる。したがって、当業者であれば理解するように、所有者情報が秘密に保たれて関連官庁に対してのみ利用可能であること、および資産登録タグ上に記憶された情報を復号化できる秘密キーの発行が、厳密に制御されて、事前に許可された特定のオペレータに限られることが、確実であることが望ましい。
【０１１２】
情報を書き込みおよび読み出す権限を与えても良いエンティティには、以下のものを含めることができる（しかしこれらに限定されない）。すなわち、法定機関、警察、法執行機関、金融会社、保険会社、ロジスティック・オペレータ、在庫管理者などであり、これはシステムが使用される状況によって決まる。
【０１１３】
したがって、たとえば、登録ラベルを、違反行為通知（たとえばスピード違反切符、駐車罰金など）を発行する際に用いる場合には、車両および所有者詳細を正確に決定することが、関連官庁（たとえば駐車監視員）によってリーダ１０を用いて可能となる。そしてリーダ１０は、たとえば、違反行為通知を発行できるアプリケーション・ソフトウェアを実行することができ、警察官または交通指導員がタグから情報を読み出したらすぐに、所有者の詳細が表示される。
【０１１４】
こうして、リーダ・オペレータに、可能なオプションのリストを示すことができる。たとえばスピード違反切符を発行すること、駐車違反の罰金を科すことなどであり、これはリーダ１０の使用方法によって決まる。そしてオペレータは、適切なオプションを選択し、その結果、切符が発行される。
【０１１５】
これは、多くの方法で行なうことができる。たとえばリーダ１０は、遠隔のコンピュータ・システム３０と通信して、車所有者の詳細をコンピュータ・システムに転送することができ、その結果、違反行為通知をコンピュータ・システム３０から発行することができる。これをたとえば、通知をプリントして郵送することを通常の方法で行なうことで実現しても良い。あるいはリーダ１０をプリンタに、外部インターフェース１７を介して結合することができる。
【０１１６】
当然のことながら、本技術は、道路通行料金を集めることに対しても同様の方法で用いることができる。
タグのさらなる使用方法は、タグを、未払いの違反行為または過去の交通違反の詳細に関する情報を記憶するために使用できることである。したがって、たとえばドライバが交通違反に関して起訴された場合、この情報を交通当局へ送って、登録ラベルをドライバが所有する車両に対して次回に作成するときに、違反の詳細を登録ラベル上に含められるようにすることができる。その結果、車両が交通事故に関与した場合、警察は、タグ上に記憶された情報にアクセスして、これを使用し、ドライバが以前に交通違反を起こしたことがあるかどうかを判断して、適切な行為を取ることができる。この結果、警察が中央のシステムに問い合わせる必要がなくなる。
【０１１７】
同様に、タグは、未払いの駐車違反の罰金などの詳細をエンコードするために用いることができる。この場合、駐車監視員が車両をたとえば通常の駐車監視の手順の間に調べて、未払いの罰金が存在していると判断した場合には、監視員に行為を行なう必要があることが警告される。この場合、行為には、たとえば未払いの罰金が支払われるまで車両を牽引するかクランプで留めることを用意することを含めることができる。この場合、罰金の支払いが登録ラベルの発行後に行なわれている場合もあるので、監視員は通常、中央および最新のデータベースに問い合わせて、行為が必要であるかどうかを確かめる。しかしこれによって、監視員に、さらなる調査が必要であることが警告される、
この結果、警察はこれらの詳細を現在のドライバのそれと比較することができる。その結果、盗難車を取り戻すことなどが補佐される。
【０１１８】
前述したシステムにおいて、車登録手続きを、タグ１を登録ラベルに埋め込むことによって実施することができる。
このことを行なうために、全体プロセスには、登録エンティティに、登録情報の決定および登録ラベルの形成を通常の方法で行なわせることが含まれる。しかし登録情報をラベル上に、プリントされた可視情報の形態で設けるだけの代わりに、エンティティは、ラベルの一部として組み込まれたタグ１上の登録情報の一部をエンコードするようにも動作する。
【０１１９】
情報は通常、その後に変更されないように固定され、これは、情報を車両所有者に与えてラベルを車両に通常の方法で取り付けられるようにする前に、行なわれる。この場合、第三者が車両登録のチェックを求めたときには、このチェックは、ラベルを目視検査してプリント情報を通常の方法で調べ直すことによって、行なうことができる。しかし、その代わりにまたはそれに加えて、タグ１内でエンコードされた登録情報を、好適な読み出しプロセスを用いて読み出すことができ（これについては前述した通り）、こうすることで、登録の付加的なチェックを行なうことができる。
【０１２０】
前述したプロセスは、タグ１およびリーダ１０の使用法、および図１〜１０で前述した関連する方法論について説明しているが、システムは、好適であればどんなタグおよびリーダを利用しても良い。これは実例を目的としただけのものである。
【０１２１】
付加的特徴
以下、システムのいくつかの付加的な特徴／機能について、詳細に説明する。
タグの読み出し
当業者であれば理解するように、登録ラベルを通常の方法で車のフロントガラスの内側に配置した場合、ガラスの存在によって、タグから読み出し動作を行なう有効性が減る可能性がある。詳細には、リーダ１０がフロントガラスを通してタグ１との通信に成功することは難しい可能性がある。この影響を弱めるために、ラベルを、図１１に示すように、拡張アンテナ４７を含むように変更することができる。ラベルの大きな部分に配置された拡張アンテナを用いることによって、リーダ１０とタグ１との間の通信の有効性が増加することで、フロントガラスによって引き起こされる干渉効果が減る。
【０１２２】
登録ラベルに関するさらなる問題点は、タグから読み出せるのは、登録ラベルをいったん車両に取り付けてからのみであることが望ましい場合があることである。このことを行なうために、ラベルに、取り外し可能なステッカ部分を設けることができる。このステッカ部分は、取り外されるとラベルに粘着面を残すため、ラベルをフロントガラスに取り付けることができる。この場合、金属材料をラベル部分に含めることによって、これが読み出しプロセスを妨害することができるために、タグの読み出しを、車両に取り付けられているときを除いて、効果的に防ぐことができる。この場合、特別なリーダを用いてタグ上の情報をエンコードする。
【０１２３】
タグ・エンコーディング
また当業者であれば理解するように、タグは普通、オフィス環境内でエンコードされるため、一般的にハンドヘルド・リーダを用いてタグをエンコードする必要はなく、デスクトップ・リーダを用いることができる。
【０１２４】
この場合、特別に構成されたリーダを用いて、データ書き込み技術を変更することができる。詳細には、タグが設けられるラベルは年に１回取り替えられるため、プロセッサ１１または変調器１５が情報をタグ・データ・ストアに書き込む能力を無効にすることによって、「ＷＯＲＭ（一度だけ書き込み、何度でも読み出し）」タグを利用することができる。このことから分かるように、一例では、タグ内に配置される変調器には、データをタグに書き込む能力がなくても良く、変更されたリーダ１０を用いて、変調器の書き込み用機能を実現する。
【０１２５】
さらに、能力が付加された読み出しデバイスを用いることによって、前述したようにラベルの金属部分を通る場合でも情報のエンコードに成功することができる。
ＵＶマーキング
前述した技術を用いてエンコードされおよび読み出し可能なタグの識別を補佐するために、タグが付随する物品上にＵＶ蛍光のトレース・インディケータを設けることが有用である。
【０１２６】
この背後にある趣旨は、タグの位置の特定が、単純にリーダ１０を物品に極めて接近して配置するだけでは難しい可能性があるということである。詳細には、タグ１の読み出しを、アンテナ２、１６の間に設けられた介在材料（たとえば金属など）を介して行なうことができる。この材料は、同調回路の誘導的な特性を実現し得るものである。したがって、情報が読み出せない場合、その原因は、タグが存在しないことまたは無効な読み出しであり得る。
【０１２７】
したがって、タグが取り付けられた物品（たとえば登録ラベル）を通常、ＵＶ蛍光のインクなどでマーキングする。そしてリーダ１０は、任意的なブラック・ライト源を含んで、これによってＵＶマーキングに蛍光を発光させることで、タグを有する対象物を識別することができる。
【０１２８】
耐不正行為セキュリティ
さらなるセキュリティを実現するために、登録ラベルに１つまたは複数のセキュリティ機能を設けても良い。このようなセキュリティ機能には、ホログラムが存在することなどが含まれていても良い。これによって、ラベルを再現できることが阻まれる。しかしこれ以外に、通常は、登録ラベル４０またはＲＦＩＤタグ１に物理的な不正行為が試みられたか否かを表示できる何らかの形態の耐不正行為メカニズムを設ける。
【０１２９】
次に図１２Ａを参照して、第１の例について説明する。詳細には、この例では、セキュリティ・タグ１がハウジング５０内に設けられており、ハウジング５０には透明な物質５１、たとえば液体ポリマー、または透明なプラスチック、たとえばパースペックスなどが収容されている。透明な物質５１の中には、多くのカプセル５２が含まれており、カプセルには液体染料などが含まれている。この場合、ハウジング５０にアクセスする任意の試みがなされると、ハウジング５０の変形によって圧力が透明な物質５１を通して分配されることで、カプセル５２の１つまたは複数が破裂する。その結果、染料が、実質的に透明な材料５１内に放出されることで、タグ１に不正行為が試みられたことが示される。
【０１３０】
次のことが理解される。すなわち、粘着層をハウジングの下面に設けることによって（５３に示す）、またはハウジング５０をラベル４０の一体化部分として設けることによって、ハウジング５０を操作しようとするかまたはハウジング５０を車のフロントガラスから取り外そうとする任意の試みが行なわれたときに、カプセル５２が破裂して、その結果、不正行為事象が示される。
【０１３１】
次のことが、カプセルを用いることの代替案として理解される。すなわち材料５１を本来的に、たとえば物理的応力に応答してまたは空気との接触時に、色変化を経るように構成することができる。その結果、ハウジングの破裂または応力によって、材料の色変化を起こすことができる。
【０１３２】
さらに、前述の例では材料は透明であると説明したが、これは本質的なことではなく、目に見える光学特性の変化であればどんな変化でも、十分に不正変更を確認することができる。同様に、材料５１が固体である場合には、付加的なハウジング５０は必要でなくても良い。
【０１３３】
図１２Ｂに代替的な配置を示す。この例では、登録ラベルには、第１および第２の基板層６０、６１が含まれ、これらは粘着剤６２によって一緒に保持されている。粘着層６３が設けられており、これによって、使用時にラベルを車フロントガラスに取り付けられるようになっている。
【０１３４】
この例では、基板６０、６１の表面１には、表現ｖｏｉｄがインプリントされている（図１２Ｃに示す）。表現は、粘着層６２に面する基板６０の１つに属する表面上に設けられている。
【０１３５】
使用時、ラベルを、粘着層６３が粘着層６２よりも強くなるように形成する。その結果、個人がセキュリティ・ラベルを車フロントガラスから取り外そうと試みた場合には、層６１、６０が分離して、ｖｏｉｄの表現を示す表面の１つが表示されるようになり、こうすることで、ラベルに不正変更が加えられたことが示される。
【０１３６】
図１２Ｄにさらなる例を示す。この例でも再び、ラベルが２つの基板層７０、７１から形成されている。この例では、層７０にアンテナ４７が埋め込まれ、層７１にはＲＦＩＤタグが埋め込まれている。タグ１は、アンテナ４７に、好適な接続４７Ａを介して接続されている。この場合もやはり、基板７０、７１は粘着層７２を介して相互接続されており、粘着層７２は、ラベルをフロントガラスに取り付けるために使用される粘着層７３よりも弱い。
【０１３７】
この場合、フロントガラスからタグを取り外すことが試みられると、層７０、７１が分離することでアンテナ４７とＲＦＩＤタグ１の残りの部分とが分離するため、補正作業をしなくてもすむ。
【０１３８】
別の例では、タグ１は、タグ１を移動させたときかまたはラベルに不正行為が試みられたときにタグ・メモリ５の内容を削除または変更するデバイスに、関連付けても良い。これは、デバイスを層７０内に配置し、またタグ１およびアンテナ４７を層７１内に設けることによって、実現することができる。この例では、デバイスは、磁界を生成して、層７０、７１が分離したときに磁界によってアンテナ４７内に電流が誘起されるようにすることができる。そうすることで、タグ１は、不正変更が行なわれたことを検出することができ、その結果、メモリ５の内容が変更される。あるいは、デバイスは能動的で電源を用いることができ、そうすることで信号を生成することができるため、ラベルに不正変更が加えられたときにタグ・メモリ５が変更または削除される。
【０１３９】
その結果、タグ１をリーダ１０が読み出したときに、リーダは、メモリ５が削除または変更されたことを検出することができ、また適切なメッセージ（たとえばＴＡＧＶＯＩＤなど）をユーザに示すために生成することができる。
【０１４０】
この結果、ラベルは、タグまたはラベルを意図した位置から無許可で移動させたかまたは移動が試みられたかを検出することが望ましい任意の応用例において使用できる。
二次データベース
前述したように、システムには、二次遠隔データベース（たとえばデータベース３６）から情報を書き込みおよび情報を読み出す能力が含まれる。当然のことながら、これは多くの方法で行なうことができる。
【０１４１】
たとえば、データベースとのやり取りは、単にコンピュータ・システムを用いることを通して、あるいはリーダ１０内に適切な通信手段を設けることによって、行なっても良い。具体化に応じて、これは、通信ネットワーク（たとえばインターネット、または個人のＬＡＮなど）に接続されるデータベースを用いても良い。
【０１４２】
この場合、リーダは、タグ１上に記憶された情報内でエンコードされた一意の識別子を用いて、個々のタグに対応するデータベース記録を一意に識別するので好都合である。この識別子は、単純に特定のデータベース入力に対する数字参照であっても良いし、あるいは付加情報（たとえば使用される個々のデータベース）を示すものであっても良い。したがってたとえば、識別子は、データベースが設けられたネットワーク・アドレスを含むことができ、あるいは、リーダ１０を、データベースの詳細を提供する好適なＬＵＴ（ルック・アップ・テーブル）に導いても良い。
【０１４３】
アンテナ
一般的に、アンテナ１６はハウジング２１内に設けられる。これは実現可能である。なぜならば、ハウジングはプラスチックから形成されており、プラスチックは、同調回路の特性に対する影響が無視できるほどであり、また回路構成に容易に対処することができるからである。
【０１４４】
しかし状況によっては、ＲＦＩＤタグが、このようなアンテナを用いては読み出すことが難しい箇所に設けられる場合がある。たとえばＲＦＩＤタグをバイク内に取り入れるときには、通常は、ＲＦＩＤタグをバイク・フレーム内に配置する。リーダ１０は、金属製のバイク・フレームを通してタグと通信することはできないため、タグ情報を正しく読み出すことは難しい。したがってアンテナを、バイクのフレーム内に挿入することができる伸縮式のアンテナの形態にしても良い。この結果、アンテナ１６とアンテナ２との間の最適な誘導結合が確実になることで、読み出しが確実に正しく行なわれる。
【０１４５】
通信
コンピュータ・システムとの通信は、多くの異なる技術を用いて行なうことができる。たとえば有線接続、たとえばＲＳ２３２接続、ＵＳＢ接続などである。したがって、一例では、１０ピンのＲＪ４５コネクタを、取っ手２２の底部に設けて、リーダ１０とコンピュータ・システム３０との間の全二重通信を行なうことができる。しかしその代わりに、またはそれに加えて、無線接続たとえばブルートゥースまたはジグビーを、用いることができる。
【０１４６】
さらにリーダ１０に、ＧＰＲＳ機能と、インターネットまたは他の通信ネットワークへの無線接続性を可能にする能力とを設けても良い。
ディスプレイ
リーダ１０には、ディスプレイとして、１１２×６４画素の白黒またはカラー・グラフィックス・ディスプレイなどを含めることができる。これらは、付随する入力ボタンを押すことによってスクロールすることができる。この場合、ディスプレイは、一般的なステータス情報だけでなくフィードバックも、情報を入力する間、認証、および読み出しプロセスの間に示す。
【０１４７】
たとえば、トリガ１３Ａを作動させた場合、メッセージ「タグ読み出し中」がディスプレイ上に表示され、これは、タグを読み出すまで続き、それから、タグ１に記憶された情報が表示される。入力ボタンを用いて、情報をスクロールするか別の状況では見直すことができる。タグ１が検出できない場合には、「タグが見つかりません」メッセージが表示され、これは、トリガを再び作動させて読み出しサイクルを繰り返すまで続く。
【０１４８】
プリンタ
内蔵プリンタ機能またはシリアル・ポートからプリンタへの情報送信能力は通常、プロセッサ１１によって具体化され、タグからの情報または他の情報をプリントすることができる。その代わりに、またはそれに加えて、プリンタをハウジング２０内に組み込んでも良い。
【０１４９】
付加的な視覚＆聴覚フィードバック
スピーカおよび／または付加的な視覚インディケータ（たとえばＬＥＤ１４Ａ）を用いて、付加的なフィードバックをオペレータに示しても良い。たとえば、可聴音を生成することを、リーダ１０をコンピュータ・システム３０に接続したときに、または読み出しプロセスの間に、行なうことができる。デュアル・カラーＬＥＤ１４Ａは、タグの読み出し中に緑に変わることができ、またＬＥＤは、タグへの書き込み中に赤に変わることができる。
【０１５０】
複数タグ
システムを、複数のタグに書き込むように構成して、情報およびキー選択プロセスを行なう必要があるのは１回だけにし、プロセッサが、トリガ１３Ａを押し下げる度にステップ１１００を繰り返すようにすることができる。この場合、ソフトウェアは、プログラムすべきタグの数を入力するように促すことができ、その結果、トリガを連続的に作動させることが、すべてのタグがプログラムされるまで可能になり、その後、次のトリガによって、ガンは読み出し専用モードに戻ってメモリ１２を消去する。
【０１５１】
アクティブ・タグ
前述の例では、パッシブ・タグ（リーダとの誘導結合によって電力供給される）を用いることを中心に述べたが、これは本質的なことではなく、内部電源を有するアクティブ・タグを用いても良い。この場合、タグは、リーダからの電力をタグに誘導結合させる必要がないため一般的に動作範囲が広がるという点で、好都合である。一般的に、このようなタグの電池寿命は限られている。しかし登録ラベルの応用例の場合、これは重要な問題ではない。なぜならば、登録ラベルは、いずれにしても年に１回取り替えられるため、電池寿命は通常、ラベル寿命よりもはるかに長いからである。
【０１５２】
アクティブ・タグを用いる例の場合、タグは、記憶容量のもっと小さいメモリを実装しても良い。この背後にある趣旨は、タグからリーダに送られる情報量を最小にすることである。その結果、電池寿命が長くなる。したがってこの場合、通常は、一意の識別子のみをタグ・メモリ内に記憶しても良い。そしてこの識別子を用いて、遠隔データベースを相互参照して、関連情報が見られるようにする。この場合、識別子の重複を回避するために、一意であればどんな識別子を用いても良いが、登録情報に基づく一意の識別子（たとえば車両ＶＩＮ）を用いることもできる。
【０１５３】
電源
コンピュータ・システムに、たとえばＵＳＢ接続を介して接続したときに、リーダ用の電力をコンピュータから得ることができる。別の状況では、電池を設ける。たとえば９ボルトのアルカリ電池である。代替的に、ＡＣ電源を用いることができる。
【０１５４】
電力を保存するために、リーダは通常、トリガまたはスクロール・ボタンが駆動されたときに自動的にターン・オンし、３分間使用されない場合に自動的にターン・オフする。
暗号化
一例では、タグに書き込むデータはすべて、暗号化された１２８ビットＡＥＳであり、そして固定されるため消去することはできない。暗号化は、６４ビットの秘密キーに基づいて行なわれる。各リーダ１０は通常、多くの秘密キーを記憶することができ、これらのキーによって、リーダを、数が対応する種々の応用例に対して用いることができる。
【０１５５】
一例では、暗号化システムは、タグ１の一意のＩＤ（タグ１の初期検出時に決定される）を用いて、これをリーダ／ライタの秘密キーと組み合わせることで、「ハッシュ」キーを暗号化アルゴリズムに基づいて形成する。これは、正しい秘密キーおよび暗号化アルゴリズムを有するデバイスのみが、タグを読み出して解読できることを意味する。
【０１５６】
前述したように。秘密キーの配布は、情報へのアクセスを制御することに限られていることで、タグ上に記憶された情報の適切なセキュリティが確実になる。タグの配布を制御するために、官庁は秘密キーを供給すべきであっても良く、この場合、リーダの所有者は、キーを得るために登録官庁の何らかの形態の許可および認証を受ける必要がある。そして官庁は、秘密キーをタグ・リーダ１０のメモリ１２に、安全な接続を介して記録するように動作する。
【０１５７】
あるいは秘密キーを、コンピュータ・システム３０内でまたはリーダ１０内で局所的に生成しても良く、この場合も、配布に対するさらなる制御が行なわれる。
しかし当該官庁を利用することで、共通の秘密キーを多くのリーダに提供することが容易になる。この結果、組織（たとえば警察）内の異なるリーダを、キーを中心にしてプログラムすることができることで、警察の負担を軽くすることできる。またタグによっては、多くの異なる当事者を介してアクセスする必要があり得るため、この場合、官庁は、各当事者への秘密キーの提供を独立に許可しても良い。
【０１５８】
このことから分かるように、各秘密キーは通常、個々のタイプの情報または使用法のシナリオに関連する。この例については以下で詳細に説明する。さらなる特徴は、暗号化キーが異なっている場合、付随するアクセス・レベルが異なっていても良いことである。この結果、情報に対するさらなるセキュリティが実現されて、システムのユーザが異なっていると、情報の異なる部分のみを復号化できるようにすることができる。
【０１５９】
遠隔シャットダウン
システムが無許可で使用されることをさらに防ぐために、リーダ１０に遠隔シャットダウン・システムを取り入れることができる。詳細には、遠隔シャットダウン・システムは、リーダ１０が盗まれた場合に用いても良い。この特定の場合には、リーダ１０には通常、ＧＰＲＳ機能または同様のものが含まれ、遠隔のコンピュータ・システムと無線通信ができるようになっている。この場合、リーダ１０の盗難届けが出されたら、遠隔のコンピュータ・システムは、所定のコマンドをリーダ１０に送って、プロセッサ１１にリーダ１０をシャットダウンさせおよびメモリ１２の内容を消去させることができる。そうすることで、含まれる任意の秘密キーが削除されて、デバイスをさらに使用することが防止される。
【０１６０】
またリーダ１０にＧＰＳシステムを含めて、リーダ１０の箇所をモニタできるようにしても良い。その結果、紛失したかまたは盗まれたリーダ１０を取り戻すことができる。
ユーザ認証
オペレータＩＤの種類は、リーダ１０のモデルおよび所望するセキュリティ・レベルに応じて、変わる可能性がある。
【０１６１】
ＩＤにはたとえば、ＰＩＮ（個人用識別番号）、パスワード、オペレータの生体認証署名などを含めることができる。ＩＤを生成してリーダ１０に提供する方法は、使用する認証メカニズムによって決まるが、たとえば、親指の指紋を走査して生体認証署名を生成すること、入力１３を用いてＰＩＮ番号を入力することなどを含んでいても良い。
【０１６２】
モノリシックＩＣ
リーダ１０内に設けられるプロセッサ１１およびメモリ１２を、モノリシックＩＣ上に形成することができる。モノリシックＩＣを用いることで、秘密キーをバス１９を介して送る必要が回避される。この必要性は、システムのセキュリティにおける弱点を表わし得るものである。
【０１６３】
詳細には、リーダ１０が盗まれた場合に、バス１９を介して送られる信号をモニタすること、およびこの信号を用いて、デバイス内に記憶された秘密キーを決定することができる。そして秘密キーを用いて、タグ上に与えられた情報を復号化することができる。しかしモノリシックＩＣを用いることで、秘密キーの送信はすべて単一チップの内部で行なわれることになるため、秘密キーの送信を、外部の信号測定によって引き出すことは事実上不可能となる。
【０１６４】
読み出し／書き込み詳細
書き込みおよび読み出しプロセスに関する情報をエンコードすることが、タグ１または遠隔データベース３６内で可能である。
【０１６５】
たとえば、タイム・スタンピングを用いて記録することを、情報をタグ１に書き込むかまたはタグ１から読み出すときに行なうことができる。前者の場合、タイム・スタンプは通常、エンコードされたデータ内に含まれていて、タイム・スタンプをその後に変更することができないようになっている。そのためタイム・スタンプは、多くの目的のために用いることができ、たとえば情報の満了の日付を示すために使用できる。この後者の場合、タグ上には限られたスペースしかなく、著しい数の読み出し事象が行なわれる場合があり、タグが読み出される度にリーダ１０は、一意のタグＩＤを遠隔データベース３６に表示するように構成されていて、遠隔データベース３６は、この一意のタグＩＤをタイム・スタンプとともに記憶して、いつデバイス・タグが読み出されたかを示す。
【０１６６】
また情報に、リーダ１０のオペレータに関する個人情報を含めて、リーダ１０のユーザをその後に識別できるようにしても良い。
使用例
当業者であれば理解するように、前述した登録プロセスは、他の状況で使用することに対して、詳細には任意の車両移動、販売、または登録に対して、変更することもできる。したがって、例は車両登録に特有であったが、本プロセスは、車に関する任意の製造後事象の監査証跡を行なうように変更することができる。
【０１６７】
こうして、タグに、その後に種々の方法で利用できる大量の情報を記憶することができる。したがって、前述したように登録情報を提供すること以外に、情報を、車両の寿命の任意の段階で車両を識別するために用いても良い。
【０１６８】
さらなる機能として、多くの場合に、ＲＦＩＤタグ１を資産自体内に埋め込んで、それらをステッカ上に設けないようにすることが望ましい。これにはたとえば、ＲＦＩＤチップを車両上の多くの異なる箇所に配置することが含まれても良く、そうすることで、さらなるチェックを行なうことができる。この結果、情報たとえば車両ＶＩＮ、シャーシ番号などを、タグ上で暗号化して記憶することができる。この結果、車両のさらなる試験を適切な官庁が行なうことができる。
【０１６９】
当業者であれば理解するように、多数の変形および変更が明らかとなる。当業者には明らかとなるこのような変形および変更はすべて、本発明が説明前に概略的に現れる趣旨および範囲に含まれるとみなさなければならない。
【０１７０】
たとえば、前述のプロセスは車両に関して説明したが、当然のことながら、本技術は、ラベルを用いて資産を登録することが望ましい任意の状況に適用しても良い。
【図面の簡単な説明】
【０１７１】
【図１】データ・タグの例を示す概略図である。
【図２】タグ・リーダの例を示す概略図である。
【図３】図２のタグ・リーダを示す概略的な斜視図である。
【図４】コンピュータ・システムの例を示す概略図である。
【図５】タグとやり取りするプロセスの例を概説するフロー・チャートである。
【図６】タグ・リーダにオペレータを登録するプロセスの例を示すフロー・チャートである。
【図７Ａ】タグに登録情報を書き込むプロセスの例を示すフロー・チャートである。
【図７Ｂ】タグに登録情報を書き込むプロセスの例を示すフロー・チャートである。
【図８】タグから登録情報を読み出すプロセスの例を示すフロー・チャートである。
【図９】タグが組み込まれた登録ラベルの第１の例を示す図である。
【図１０】タグが組み込まれたラベルを有する車両の例を示す図である。
【図１１】タグが組み込まれた登録ラベルの第２の例を示す図である。
【図１２Ａ】セキュリティ機能が組み込まれた登録ラベルの例を示す図である。
【図１２Ｂ】セキュリティ機能が組み込まれた登録ラベルの例を示す図である。
【図１２Ｃ】セキュリティ機能が組み込まれた登録ラベルの例を示す図である。
【図１２Ｄ】セキュリティ機能が組み込まれた登録ラベルの例を示す図である。
【図１】
2008516349.tif 000003
【図２】
2008516349.tif 000004
【図３】
2008516349.tif 000005
【図４】
2008516349.tif 000006
【図５】
2008516349.tif 000007
【図６】
2008516349.tif 000008
【図７Ａ】
2008516349.tif 000009
【図７Ｂ】
2008516349.tif 000010
【図８】
2008516349.tif 000011
【図９】
2008516349.tif 000012
【図１０】
2008516349.tif 000013
【図１１】
2008516349.tif 000014
【図１２Ａ】
2008516349.tif 000015
【図１２Ｂ】
2008516349.tif 000016
【図１２Ｃ】
2008516349.tif 000017
【図１２Ｄ】
2008516349.tif 000018
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
車両用の登録ラベルを提供する方法であって、前記方法は、処理システムにおいて、
ａ）車両の素性を少なくとも部分的に示す登録情報を決定することと、
ｂ）ラベルを生成することと、を含み、
前記ラベルの生成は、
ｉ）プリントされた情報をラベル上に設けることであって、ラベルにはタグ・データ・ストアを有するタグが含まれ、プリントされた情報は登録情報の少なくとも一部である、設けることと、
ｉｉ）登録情報の少なくとも一部であるタグ・データをタグ・データ・ストアに記憶することであって、ラベルを、車両にラベルが取り付けられるように設け、こうすることで、タグ・データの少なくとも一部を好適なリーダを用いてラベルから取り出せる、記憶することと、によって行なう方法。
【請求項２】
前記方法には、処理システムにおいて、タグ・データを固定することでタグ・データのその後の変更を防止することが含まれる請求項１に記載の方法。
【請求項３】
前記方法には、処理システムにおいて、登録情報の少なくとも一部を暗号化することによってタグ・データを生成して、タグ・データは所定の秘密キーを用いたときにのみ復号化できるようにすることが含まれる請求項１に記載の方法。
【請求項４】
前記方法には、処理システムにおいて、
ａ）登録情報に付随する秘密キーを決定することと、
ｂ）登録情報および秘密キーを用いてタグ・データを生成することと、が含まれる請求項１に記載の方法。
【請求項５】
前記方法には、処理システムにおいて、
ａ）オペレータの素性を示すオペレータ識別子を決定することと、
ｂ）オペレータ識別子を用いてオペレータを認証することと、
ｃ）認証の成功に応答してラベルを生成することと、が含まれる請求項１に記載の方法。
【請求項６】
前記方法には、処理システムにおいて、
ａ）オペレータからオペレータ識別子を受信することと、ｂ）オペレータ識別子を、データベースに記憶されたある数の所定のオペレータ識別子と比較することと、
ｃ）比較の成功に応答してオペレータを認証することと、が含まれる請求項５に記載の方法。
【請求項７】
前記オペレータ識別子には、
ａ）生体認証署名と、
ｂ）パスワードと、
ｃ）ＰｌＮとのうちの少なくとも１つが含まれる請求項５に記載の方法。
【請求項８】
前記方法には、処理システムにおいて、
ａ）登録情報に付随する少なくとも１つのアクセス・レベルを決定することと、
ｂ）少なくとも１つのアクセス・レベルに基づいてタグ・データを生成することと、が含まれる請求項１に記載の方法。
【請求項９】
前記方法には、処理システムにおいて、
ａ）遠隔データベースに記憶するべき付加情報を決定することであって、付加情報は登録情報を少なくとも部分的に示す、決定することと、
ｂ）付加情報を遠隔データベースに記憶することと、
ｃ）遠隔データベース内の付加情報の箇所を示す情報識別子を生成することと、
ｄ）情報識別子に基づいてタグ・データを生成することと、が含まれる請求項１に記載の方法。
【請求項１０】
前記方法には、タグ・データを生成することが含まれ、前記タグ・データには、
ａ）秘密キーを用いて暗号化される登録情報の少なくとも一部が含まれるペイロードと、
ｂ）秘密キーを示すヘッダと、が含まれる請求項１に記載の方法。
【請求項１１】
前記タグ・データは少なくとも部分的に暗号化され、前記方法には、タグからタグ・データを読み出すことが許可された少なくとも１つのエンティティに秘密キーを与えることが含まれる請求項１に記載の方法。
【請求項１２】
前記タグ・データは少なくとも部分的に暗号化され、秘密キーの生成および分配の少なくとも一方は、信頼されたエンティティによって制御され、前記方法には、処理システムにおいて、信頼されたエンティティから秘密キーを得ることが含まれる請求項１に記載の方法。
【請求項１３】
前記方法には、処理システムにおいて、
ａ）所定のアルゴリズムに基づいて秘密キーを生成することと、
ｂ）信頼された第三者から得られる秘密キーを決定することと、の少なくとも一方を行なうことが含まれる請求項１に記載の方法。
【請求項１４】
前記方法には、処理システムにおいて、
ａ）登録情報を少なくとも部分的に示す１つまたは複数のマーキングを生成することと、
ｂ）マーキングをラベルに施すことであって、マーキングは実質的に肉眼では見えず、マーキングは登録情報を少なくとも部分的に示す、施すことと、が含まれる請求項１に記載の方法。
【請求項１５】
前記方法には、処理システムにおいて、タグ・リーダに書き込み信号を生成させることであって、書き込み信号はタグ・データに基づいて変調され、タグは、書き込み信号に応答してタグ・データをタグ・データ・ストアに記憶する、生成させること、が含まれる請求項１に記載の方法。
【請求項１６】
前記処理システムは、
ａ）タグ・リーダの一部であることと、
ｂ）タグ・リーダに通信システムを介して接続されることと、の少なくとも一方である請求項１５に記載の方法。
【請求項１７】
前記処理システムには、プリントされた情報をプリントするためのプリンタが含まれる請求項１に記載の方法。
【請求項１８】
前記登録情報には、
ａ）登録を行なうエンティティの詳細、
ｂ）登録制限、
ｃ）車両詳細、
ｄ）車両所有者詳細、
ｅ）購入情報、
ｆ）保険情報、
ｇ）未払いの違反行為通知のうちの少なくとも１つが含まれる請求項１に記載の方法。
【請求項１９】
車両用の登録ラベルを提供するための装置であって、前記装置は、
ａ）車両の素性を少なくとも部分的に示す登録情報を決定することと、
ｂ）ラベルを生成することと、を行なう処理システムであって、
前記ラベルの生成は、
ｉ）プリントされた情報をラベル上に設けることであって、ラベルにはタグ・データ・ストアを有するタグが含まれ、プリントされた情報は登録情報の少なくとも一部である、設けることと、
ｉｉ）登録情報の少なくとも一部であるタグ・データをタグ・データ・ストアに記憶することであって、ラベルを、車両にラベルが取り付けられるように設け、こうすることで、タグ・データの少なくとも一部を好適なリーダを用いてラベルから取り出せる、記憶することと、によって行なう、処理システムを含む装置。
【請求項２０】
前記装置には、書き込み信号を生成するためのタグ・リーダであって、書き込み信号はタグ・データに基づいて変調され、タグは、書き込み信号に応答してタグ・データをタグ・データ・ストアに記憶する、タグ・リーダが含まれる請求項１９に記載の装置。
【請求項２１】
前記処理システムは、
ａ）タグ・リーダの一部であることと、
ｂ）タグ・リーダに通信システムを介して結合されることと、の少なくとも一方である請求項２０に記載の装置。
【請求項２２】
前記装置には、
ａ）オペレータの素性を示すオペレータ識別子を受信するための入力と、
ｂ）書き込み信号を生成するための変調器と、
ｃ）プロセッサとが含まれ、
前記プロセッサは、
ｉ）オペレータ識別子を用いてオペレータを認証することと、
ｉｉ）認証の成功に応答して、
（１）登録情報を決定することと、
（２）登録情報および秘密キーを用いてタグ・データを生成することと、
（３）変調器に書き込み信号を生成させることであって、書き込み信号はタグ・データに基づいて変調され、タグは、書き込み信号に応答してタグ・データをタグ・データ・ストアに記憶する、生成させることと、を行なう請求項１９に記載の装置。
【請求項２３】
請求項１に記載の方法を行なう請求項１９に記載の装置。
【請求項２４】
ａ）車両に基板を取り付けられるように少なくとも１つの粘着部分を有する基板と、
ｂ）ラベル上に設けられ、登録情報を少なくとも部分的に示すプリントされた情報と、
ｃ）登録情報を少なくとも部分的に示すタグ・データを記憶するタグ・データ・ストアを有するタグと、を含む車両登録ラベル。
【請求項２５】
前記ラベルには、不正変更を検出するための少なくとも１つのセキュリティ機能が含まれる請求項２４に記載のラベル。
【請求項２６】
前記ラベルには、粘着によって接続された第１および第２の基板部分が含まれ、基板を車両に取り付けたときに、基板を車両から取り外す試みによって第１および第２の基板部分が分離されるようになっている請求項２５に記載のラベル。
【請求項２７】
前記第１および第２の基板部分の少なくとも一方には、第１および第２の基板部分が分離されたときに露出するマーキングされた表面が含まれ、マーキングはラベル取り外しが試みられたことを示す請求項２６に記載のラベル。
【請求項２８】
前記タグはタグ・アンテナに結合され、
ａ）タグは第１の基板部分に結合され、
ｂ）アンテナは第２の基板部分に結合されていて、
第１および第２の基板部分を分離させるとタグからアンテナが取り外されるようになっている請求項２６に記載のラベル。
【請求項２９】
前記タグは、所定の光学特性を有する材料内に埋め込まれ、ラベルを変形させると材料の光学特性が変化することでラベルによって不正変更が示される請求項２５に記載のラベル。
【請求項３０】
前記タグには、材料中に埋め込まれた染料カプセルが含まれ、染料カプセルは、ラベルが変形されたら染料を放出するように構成されている請求項２５に記載のラベル。
【請求項３１】
前記登録ラベルには、実質的に肉眼では見えない１つまたは複数のマーキングが含まれ、マーキングは登録情報を少なくとも部分的に示す請求項２４に記載のラベル。
【請求項３２】
請求項１に記載の方法を用いて生成される請求項２４に記載のラベル。
【請求項３３】
タグ・データ・ストアを有するタグが含まれる登録ラベルを有する車両に関する行為を行なう方法であって、
前記方法には、処理システムにおいて、
ａ）登録情報の少なくとも一部であるタグ・データをタグ・データ・ストアから決定することと、
ｂ）少なくとも１つの行為を決定することと、
ｃ）登録情報の少なくとも一部を用いて少なくとも１つの行為を行なうことと、が含まれる方法。
【請求項３４】
前記タグ・データを、登録情報の少なくとも一部を暗号化することによって形成し、
前記方法には、処理システムにおいて、
ａ）秘密キーを決定することと、
ｂ）秘密キーを用いてタグ・データを少なくとも部分的に復号化することと、が含まれる請求項３３に記載の方法。
【請求項３５】
前記方法には、処理システムにおいて、
ａ）オペレータの素性を示すオペレータ識別子を決定することと、
ｂ）オペレータ識別子を用いてオペレータを認証することと、
ｃ）認証の成功に応答して、
ｉ）タグ・データを決定すること、
ｉｉ）タグ・データを復号化すること、
ｉｉｉ）少なくとも１つの行為を行なうことのうちの少なくとも１つを行なうことと、が含まれる請求項３３に記載の方法。
【請求項３６】
前記方法には、タグ・リーダにおいて、
ａ）オペレータからオペレータ識別子を受信することと、
ｂ）オペレータ識別子を、データベースに記憶されたある数の所定のオペレータ識別子と比較することと、
ｃ）比較の成功に応答してオペレータを認証することと、が含まれる請求項３５に記載の方法。
【請求項３７】
前記オペレータ識別子には、
ａ）生体認証署名と、
ｂ）パスワードと、
ｃ）ピンとのうちの少なくとも１つが含まれる請求項３５に記載の方法。
【請求項３８】
前記方法には、処理システムにおいて、
ａ）デコードされた情報から少なくとも１つの情報アクセス・レベルを決定することと、
ｂ）オペレータ識別子を用いておよびデータベース内に記憶されるオペレータ詳細から、１つまたは複数のオペレータ・アクセス・レベルを決定することと、
ｃ）情報アクセス・レベルをオペレータ・アクセス・レベルと比較することと、
ｄ）比較の結果に基づいて情報を選択的に表示することと、が含まれる請求項３５に記載の方法。
【請求項３９】
前記方法には、処理システムにおいて、
ａ）デコードされた情報から得られる情報識別子を決定することと、
ｂ）情報識別子を用いて、遠隔データベース内に記憶される付加情報にアクセスすることと、が含まれる請求項３３に記載の方法。
【請求項４０】
前記タグ・データには、
ａ）秘密キーを用いて暗号化された情報を含むペイロードと、
ｂ）秘密キーを示すヘッダとが含まれ、
前記方法には、処理システムにおいて、
ｉ）ヘッダから、秘密キーの表示を決定することと、
ｉｉ）秘密キーの表示を用いて秘密キーを決定することと、
ｉｉｉ）秘密キーを用いてペイロードを復号化することと、が含まれる請求項３３に記載の方法。
【請求項４１】
前記方法には、処理システムにおいて、
ａ）所定のアルゴリズムに基づいて秘密キーを生成することと、
ｂ）信頼された第三者から得られる秘密キーを決定することと、のうちの少なくとも一方が含まれる請求項３３に記載の方法。
【請求項４２】
前記方法には、処理システムにおいて、
ａ）登録情報に関連する少なくとも１つの行為を決定することと、
ｂ）少なくとも１つの行為を、少なくとも一つにはオペレータからの入力命令に基づいて行なうことと、が含まれる請求項３３に記載の方法。
【請求項４３】
前記方法には、処理システムにおいて、タグ・リーダに、
ａ）読み出し信号を生成することであって、タグは、読み出し信号に応答して、読み出し信号をタグ・データ・ストア内に記憶されたタグ・データに基づいて変調する、生成することと、
ｂ）読み出し信号の変調を検出することでタグ・データを決定することと、を行なわせることが含まれる請求項３３に記載の方法。
【請求項４４】
前記処理システムは、
ａ）タグ・リーダの一部であることと、
ｂ）通信システムを用いてタグ・リーダに結合されることと、の少なくとも一方である請求項４３に記載の方法。
【請求項４５】
前記方法には、処理システムにおいて、ラベル上のマーキングを不可視放射源を用いて露光することであって、マーキングは、不可視放射に応答して可視放射を生成し、マーキングは登録情報を示す、露光すること、が含まれる請求項３３に記載の方法。
【請求項４６】
前記行為には、
ａ）違反行為の通知を出すことと、
ｂ）盗難物品を識別することと、
ｃ）車両所有者を識別することと、のうちの少なくとも１つが含まれる請求項３３に記載の方法。
【請求項４７】
前記方法を、
ａ）請求項２４に記載の登録ラベルと、
ｂ）請求項１に記載の方法を用いて生成された登録ラベルと、の少なくとも一方を用いて行なう請求項３３に記載の方法。
【請求項４８】
タグ・データ・ストアを有するタグが含まれる登録ラベルを有する車両に関する行為を行なうための装置であって、
ａ）登録情報の少なくとも一部であるタグ・データをタグ・データ・ストアから決定することと、
ｂ）少なくとも１つの行為を決定することと、
ｃ）登録情報の少なくとも一部を用いて少なくとも１つの行為を行なうことと、に対する処理システムが含まれる装置。
【請求項４９】
前記装置には、タグ・リーダが含まれ、前記タグ・リーダは、
ａ）読み出し信号を生成することであって、タグは、読み出し信号に応答して、読み出し信号をタグ・データ・ストア内に記憶されたタグ・データに基づいて変調する、生成することと、
ｂ）読み出し信号の変調を検出することでタグ・データを決定することと、を行なうためのものである請求項４８に記載の装置。
【請求項５０】
前記処理システムは、
ａ）タグ・リーダの一部であることと、
ｂ）タグ・リーダに通信システムを介して結合されることと、の少なくとも一方である請求項４９に記載の装置。
【請求項５１】
前記装置には、
ａ）入力と、
ｂ）読み出し信号を生成するための変調器と、
ｃ）プロセッサとが含まれ、
前記プロセッサは、
ｉ）入力を介して受信されるオペレータ識別子を用いてオペレータを認証することと、
ｉｉ）認証の成功に応答して、
（１）変調器に読み出し信号を生成させることであって、タグは、読み出し信号に応答して、読み出し信号をタグ・データ・ストア内に記憶されたタグ・データに基づいて変調する、生成させることと、
（２）読み出し信号の変調を用いてタグ・データを決定することと、
（３）タグ・データを用いて秘密キーを決定することと、（４）秘密キーを用いてタグ・データをデコードすることと、を行なうためのものである請求項４８に記載の装置。
【請求項５２】
請求項３３に記載の方法を行なう請求項４８に記載の装置。
【請求項５３】
前記方法には、新たな登録ラベルを周期的に設けることが含まれ、新たな登録ラベルは、プリントされた情報と、更新された登録の詳細の少なくとも一部を含むタグ・データとを有する請求項１に記載の方法。
【国際調査報告】
2008516349.tif 000019
2008516349.tif 000020
2008516349.tif 000021